(57)【特許請求の範囲】
【請求項１】
仕切板付き箱と、前記仕切板付き箱内に配置された物品（１７０）とからなる物品入り仕切板付き箱であって、
（あ）前記仕切板付き箱は、
側部（１１０）と、底部（１２０）と、蓋部（１３０）とを含み、かつ、ほぼ直方体の形状を有するように構成され、
前記側部（１１０）は、第１側板（１１２）と、前記第１側板（１１２）に対して直角に設けられた第２側板（１１４）と、前記第１側板（１１２）に対して平行に設けられかつ前記第２側板（１１４）に対して直角に設けられた第３側板（１１６）と、前記第１側板（１１２）に対して直角に設けられかつ前記第２側板（１１４）に対して平行に設けられた第４側板（１１８）とを含み、
前記底部（１２０）は、前記第１側板（１１２）、前記第２側板（１１４）、前記第３側板（１１６）、前記第４側板（１１８）に対して直角に設けられた、１つ以上の底板（１２２、１２４、１２６、１２８）を含み、
前記蓋部（１３０）は、前記第１側板（１１２）に対して直角に設けられた第１蓋板（１３２）と、前記第２側板（１１４）に対して直角に設けられた第２蓋板（１３４）と、前記第３側板（１１６）に対して直角に設けられた第３蓋板（１３６）と、前記第４側板（１１８）に対して直角に設けられた第４蓋板（１３８）とを含み、
前記仕切板付き箱は、前記第１蓋板（１３２）に一体に設けられた第１仕切板（１４２）と、前記第２蓋板（１３４）に一体に設けられた第２仕切板（１４４）と、前記第３蓋板（１３６）に一体に設けられた第３仕切板（１４６）と、前記第４蓋板（１３８）に一体に設けられた第４仕切板（１４８）とを備え、
第１蓋板折り曲げ部（１３２ａ）が前記第１側板（１１２）と前記第１蓋板（１３２）との間に設けられ、
第２蓋板折り曲げ部（１３４ａ）が前記第２側板（１１４）と前記第２蓋板（１３４）との間に設けられ、
第３蓋板折り曲げ部（１３６ａ）が前記第３側板（１１６）と前記第３蓋板（１３６）との間に設けられ、
第４蓋板折り曲げ部（１３８ａ）が前記第４側板（１１８）と前記第４蓋板（１３８）との間に設けられ、
第１仕切板折り曲げ部（１４２ａ）が前記第１蓋板（１３２）と前記第１仕切板（１４２）との間に設けられ、
第２仕切板折り曲げ部（１４４ａ）が前記第２蓋板（１３４）と前記第２仕切板（１４４）との間に設けられ、
第３仕切板折り曲げ部（１４６ａ）が前記第３蓋板（１３６）と前記第３仕切板（１４６）との間に設けられ、
第４仕切板折り曲げ部（１４８ａ）が前記第４蓋板（１３８）と前記第４仕切板（１４８）との間に設けられ、
前記第２仕切板折り曲げ部（１４４ａ）に対して直角に設けられた第１スリット（１５４）が、前記第２蓋板（１３４）と前記第２仕切板（１４４）に設けられ、前記第２仕切板（１４４）は前記第１スリット（１５４）により２つの部分に分離されており、
前記第４仕切板折り曲げ部（１４８ａ）に対して直角に設けられた第２スリット（１５８）が、前記第４蓋板（１３８）と前記第４仕切板（１４８）に設けられ、前記第４仕切板（１４８）は前記第２スリット（１５８）により２つの部分に分離されており、
前記第１スリット（１５４）の端部と前記第２蓋板折り曲げ部（１３４ａ）との間には第１蓋連結部（１３４ｃ）が設けられ、
前記第２スリット（１５８）の端部と前記第４蓋板折り曲げ部（１３８ａ）との間には第２蓋連結部（１３８ｃ）が設けられており、
前記第１蓋板（１３２）を閉じたときに、前記第１仕切板（１４２）が前記第１蓋連結部（１３４ｃ）に干渉しないようにするための第１蓋逃げ部（１４２ｆ）が前記第１仕切板（１４２）に設けられ、
前記第１蓋板（１３２）を閉じたときに、前記第１仕切板（１４２）が前記第２蓋連結部（１３８ｃ）に干渉しないようにするための第２蓋逃げ部（１４２ｇ）が前記第１仕切板（１４２）に設けられ、
前記第３蓋板（１３６）を閉じたときに、前記第３仕切板（１４６）が前記第１蓋連結部（１３４ｃ）に干渉しないようにするための第３蓋逃げ部（１４６ｆ）が前記第３仕切板（１４６）に設けられ、
前記第３蓋板（１３６）を閉じたときに、前記第３仕切板（１４６）が前記第２蓋連結部（１３８ｃ）に干渉しないようにするための第４蓋逃げ部（１４６ｇ）が前記第３仕切板（１４６）に設けられており、
前記第１仕切板（１４２）は前記第１仕切板折り曲げ部（１４２ａ）と平行な第１仕切板縁部（１４２ｂ）を含み、
前記第２仕切板（１４４）は前記第２仕切板折り曲げ部（１４４ａ）と平行な第２仕切板縁部（１４４ｂ）を含み、
前記第３仕切板（１４６）は前記第３仕切板折り曲げ部（１４６ａ）と平行な第３仕切板縁部（１４６ｂ）を含み、
前記第４仕切板（１４８）は前記第４仕切板折り曲げ部（１４８ａ）と平行な第４仕切板縁部（１４８ｂ）を含み、
前記第１仕切板（１４２）は前記第１仕切板折り曲げ部（１４２ａ）のところで直角に折り曲げられ、前記第１仕切板縁部（１４２ｂ）が前記底部（１２０）に近づくように構成され、
前記第２仕切板（１４４）は前記第２仕切板折り曲げ部（１４４ａ）のところで直角に折り曲げられ、前記第２仕切板縁部（１４４ｂ）が前記底部（１２０）に近づくように構成され、
前記第３仕切板（１４６）は前記第３仕切板折り曲げ部（１４６ａ）のところで直角に折り曲げられ、前記第３仕切板縁部（１４６ｂ）が前記底部（１２０）に近づくように構成され、
前記第４仕切板（１４８）は前記第４仕切板折り曲げ部（１４８ａ）のところで直角に折り曲げられ、前記第４仕切板縁部（１４８ｂ）が前記底部（１２０）に近づくように構成され、
前記第１仕切板（１４２）と前記第３仕切板（１４６）は、互いに密着して前記第１スリット（１５４）の中に入るように構成され、
前記第１仕切板（１４２）と前記第３仕切板（１４６）は、互いに密着して前記第２スリット（１５８）の中に入るように構成されており、
さらに、前記蓋部（１３０）と一体になる部分と、前記底部（１２０）と一体になる部分とに前記側部（１１０）を分離するための側カット部（２１２）が前記側部（１１０）に設けられており、
前記側カット部（２１２）を設ける位置は、前記側部（１１０）において、前記底部（１２０）よりも前記蓋部（１３０）に近い部分にあるようになっており、
（い）前記仕切板付き箱内に配置された物品は、前記仕切板により区分された区画内に配置され、かつ、前記蓋部（１３０）に近い方の端面にフランジ（１７０ｆ）を有するように配置されている、
ことを特徴とする物品入り仕切板付き箱。
【請求項２】
仕切板付き箱と、前記仕切板付き箱内に配置された物品（１７０）とからなる物品入り仕切板付き箱であって、
（あ）前記仕切板付き箱は、
側部（１１０）と、底部（１２０）と、蓋部（１３０）とを含み、かつ、ほぼ直方体の形状を有するように構成され、
前記側部（１１０）は、第１側板（１１２）と、前記第１側板（１１２）に対して直角に設けられた第２側板（１１４）と、前記第１側板（１１２）に対して平行に設けられかつ前記第２側板（１１４）に対して直角に設けられた第３側板（１１６）と、前記第１側板（１１２）に対して直角に設けられかつ前記第２側板（１１４）に対して平行に設けられた第４側板（１１８）とを含み、
前記底部（１２０）は、前記第１側板（１１２）、前記第２側板（１１４）、前記第３側板（１１６）、前記第４側板（１１８）に対して直角に設けられた、１つ以上の底板（１２２、１２４、１２６、１２８）を含み、
前記蓋部（１３０）は、前記第１側板（１１２）に対して直角に設けられた第１蓋板（１３２）と、前記第２側板（１１４）に対して直角に設けられた第２蓋板（１３４）と、前記第３側板（１１６）に対して直角に設けられた第３蓋板（１３６）と、前記第４側板（１１８）に対して直角に設けられた第４蓋板（１３８）とを含み、
前記仕切板付き箱は、前記第１蓋板（１３２）に一体に設けられた第１仕切板（３４２）と、前記第２蓋板（１３４）に一体に設けられた第２仕切板（３４４）と、前記第３蓋板（１３６）に一体に設けられた第３仕切板（３４６）と、前記第４蓋板（１３８）に一体に設けられた第４仕切板（３４８）とを備え、
第１蓋板折り曲げ部（１３２ａ）が前記第１側板（１１２）と前記第１蓋板（１３２）との間に設けられ、
第２蓋板折り曲げ部（１３４ａ）が前記第２側板（１１４）と前記第２蓋板（１３４）との間に設けられ、
第３蓋板折り曲げ部（１３６ａ）が前記第３側板（１１６）と前記第３蓋板（１３６）との間に設けられ、
第４蓋板折り曲げ部（１３８ａ）が前記第４側板（１１８）と前記第４蓋板（１３８）との間に設けられ、
第１仕切板折り曲げ部（１４２ａ）が前記第１蓋板（１３２）と前記第１仕切板（３４２）との間に設けられ、
第２仕切板折り曲げ部（１４４ａ）が前記第２蓋板（１３４）と前記第２仕切板（３４４）との間に設けられ、
第３仕切板折り曲げ部（１４６ａ）が前記第３蓋板（１３６）と前記第３仕切板（３４６）との間に設けられ、
第４仕切板折り曲げ部（１４８ａ）が前記第４蓋板（１３８）と前記第４仕切板（３４８）との間に設けられ、
前記第２仕切板折り曲げ部（１４４ａ）に対して直角に設けられた第１長孔（３５４）が、前記第２蓋板（１３４）と前記第２仕切板（３４４）に形成され、
前記第４仕切板折り曲げ部（１４８ａ）に対して直角に設けられた第２長孔（３５８）が、前記第４蓋板（１３８）と前記第４仕切板（３４８）に形成され、
前記第１長孔（３５４）の端部と前記第２蓋板折り曲げ部（１３４ａ）との間には第１蓋連結部（１３４ｃ）が設けられ、
前記第２長孔（３５８）の端部と前記第４蓋板折り曲げ部（１３８ａ）との間には第２蓋連結部（１３８ｃ）が設けられており、
前記４つの蓋板（１３２、１３４、１３６、１３８）を閉じたときに、前記仕切板（３４２、３４４、３４６、３４８）同士が相互に干渉しないようにするための逃げ部（３６２、３６４、３７２、３７４）が、前記第１仕切板（３４２）、前記第３仕切板（３４６）にそれぞれ設けられており、
前記第１蓋板（１３２）を閉じたときに、前記第１仕切板（３４２）が前記第１蓋連結部（１３４ｃ）に干渉しないようにするための第１蓋逃げ部（１４２ｆ）が前記第１仕切板（３４２）に設けられ、
前記第１蓋板（１３２）を閉じたときに、前記第１仕切板（３４２）が前記第２蓋連結部（１３８ｃ）に干渉しないようにするための第２蓋逃げ部（１４２ｇ）が前記第１仕切板（３４２）に設けられ、
前記第３蓋板（１３６）を閉じたときに、前記第３仕切板（３４６）が前記第１蓋連結部（１３４ｃ）に干渉しないようにするための第３蓋逃げ部（１４６ｆ）が前記第３仕切板（３４６）に設けられ、
前記第３蓋板（１３６）を閉じたときに、前記第３仕切板（３４６）が前記第２蓋連結部（１３８ｃ）に干渉しないようにするための第４蓋逃げ部（１４６ｇ）が前記第３仕切板（３４６）に設けられており、
前記第１仕切板（３４２）は前記第１仕切板折り曲げ部（１４２ａ）と平行な第１仕切板縁部（３４２ｂ）を含み、
前記第２仕切板（３４４）は前記第２仕切板折り曲げ部（１４４ａ）と平行な第２仕切板縁部（３４４ｂ）を含み、
前記第３仕切板（３４６）は前記第３仕切板折り曲げ部（１４６ａ）と平行な第３仕切板縁部（３４６ｂ）を含み、
前記第４仕切板（３４８）は前記第４仕切板折り曲げ部（１４８ａ）と平行な第４仕切板縁部（３４８ｂ）を含み、
前記第１仕切板（３４２）は前記第１仕切板折り曲げ部（１４２ａ）のところで直角に折り曲げられ、前記第１仕切板縁部（３４２ｂ）が前記底部（１２０）に近づくように構成され、
前記第２仕切板（３４４）は前記第２仕切板折り曲げ部（１４４ａ）のところで直角に折り曲げられ、前記第２仕切板縁部（３４４ｂ）が前記底部（１２０）に近づくように構成され、
前記第３仕切板（３４６）は前記第３仕切板折り曲げ部（１４６ａ）のところで直角に折り曲げられ、前記第３仕切板縁部（３４６ｂ）が前記底部（１２０）に近づくように構成され、
前記第４仕切板（３４８）は前記第４仕切板折り曲げ部（１４８ａ）のところで直角に折り曲げられ、前記第４仕切板縁部（３４８ｂ）が前記底部（１２０）に近づくように構成され、
前記第１仕切板（３４２）と前記第３仕切板（３４６）は、互いに密着して前記第１長孔（３５４）の中に入るように構成され、
前記第１仕切板（３４２）と前記第３仕切板（３４６）は、互いに密着して前記第２長孔（３５８）の中に入るように構成されており、
さらに、前記蓋部（１３０）と一体になる部分と、前記底部（１２０）と一体になる部分とに前記側部（１１０）を分離するための側カット部（２１２）が前記側部（１１０）に設けられており、
前記側カット部（２１２）を設ける位置は、前記側部（１１０）において、前記底部（１２０）よりも前記蓋部（１３０）に近い部分にあるようになっており、
（い）前記仕切板付き箱内に配置された物品は、前記仕切板により区分された区画内に配置され、かつ、前記蓋部（１３０）に近い方の端面にフランジ（１７０ｆ）を有するように配置されている、
ことを特徴とする物品入り仕切板付き箱。
【請求項３】
仕切板付き箱と、前記仕切板付き箱内に配置された物品（１７０）とからなる物品入り仕切板付き箱であって、
（あ）前記仕切板付き箱は、
側部（１１０）と、底部（１２０）と、蓋部（１３０）とを含み、かつ、ほぼ直方体の形状を有するように構成され、
前記側部（１１０）は、第１側板（１１２）と、前記第１側板（１１２）に対して直角に設けられた第２側板（１１４）と、前記第１側板（１１２）に対して平行に設けられかつ前記第２側板（１１４）に対して直角に設けられた第３側板（１１６）と、前記第１側板（１１２）に対して直角に設けられかつ前記第２側板（１１４）に対して平行に設けられた第４側板（１１８）とを含み、
前記底部（１２０）は、前記第１側板（１１２）、前記第２側板（１１４）、前記第３側板（１１６）、前記第４側板（１１８）に対して直角に設けられた、１つ以上の底板（１２２、１２４、１２６、１２８）を含み、
前記蓋部（１３０）は、前記第１側板（１１２）に対して直角に設けられた第１蓋板（１３２）と、前記第２側板（１１４）に対して直角に設けられた第２蓋板（１３４）と、前記第３側板（１１６）に対して直角に設けられた第３蓋板（１３６）と、前記第４側板（１１８）に対して直角に設けられた第４蓋板（１３８）とを含み、
前記仕切板付き箱は、前記第１蓋板（１３２）に一体に設けられた第１仕切板（１４２）と、前記第２蓋板（１３４）に一体に設けられた第２仕切板（１４４）と、前記第３蓋板（１３６）に一体に設けられた第３仕切板（１４６）と、前記第４蓋板（１３８）に一体に設けられた第４仕切板（１４８）とを備え、
第１蓋板折り曲げ部（１３２ａ）が前記第１側板（１１２）と前記第１蓋板（１３２）との間に設けられ、
第２蓋板折り曲げ部（１３４ａ）が前記第２側板（１１４）と前記第２蓋板（１３４）との間に設けられ、
第３蓋板折り曲げ部（１３６ａ）が前記第３側板（１１６）と前記第３蓋板（１３６）との間に設けられ、
第４蓋板折り曲げ部（１３８ａ）が前記第４側板（１１８）と前記第４蓋板（１３８）との間に設けられ、
第１仕切板折り曲げ部（１４２ａ）が前記第１蓋板（１３２）と前記第１仕切板（１４２）との間に設けられ、
第２仕切板折り曲げ部（１４４ａ）が前記第２蓋板（１３４）と前記第２仕切板（１４４）との間に設けられ、
第３仕切板折り曲げ部（１４６ａ）が前記第３蓋板（１３６）と前記第３仕切板（１４６）との間に設けられ、
第４仕切板折り曲げ部（１４８ａ）が前記第４蓋板（１３８）と前記第４仕切板（１４８）との間に設けられ、
前記第２仕切板折り曲げ部（１４４ａ）に対して直角に設けられた第１切れ目（１８４）が、前記第２蓋板（１３４）と前記第２仕切板（１４４）に設けられ、
前記第４仕切板折り曲げ部（１４８ａ）に対して直角に設けられた第２切れ目（１８８）が、前記第４蓋板（１３８）と前記第４仕切板（１４８）に設けられ、
前記第１切れ目（１８４）の端部と前記第２蓋板折り曲げ部（１３４ａ）との間には第１蓋連結部（１３４ｃ）が設けられ、
前記第２切れ目（１８８）の端部と前記第４蓋板折り曲げ部（１３８ａ）との間には第２蓋連結部（１３８ｃ）が設けられており、
前記第１蓋板（１３２）を閉じたときに、前記第１仕切板（１４２）が前記第１蓋連結部（１３４ｃ）に干渉しないようにするための第１蓋逃げ部（１４２ｆ）が前記第１仕切板（１４２）に設けられ、
前記第１蓋板（１３２）を閉じたときに、前記第１仕切板（１４２）が前記第２蓋連結部（１３８ｃ）に干渉しないようにするための第２蓋逃げ部（１４２ｇ）が前記第１仕切板（１４２）に設けられ、
前記第３蓋板（１３６）を閉じたときに、前記第３仕切板（１４６）が前記第１蓋連結部（１３４ｃ）に干渉しないようにするための第３蓋逃げ部（１４６ｆ）が前記第３仕切板（１４６）に設けられ、
前記第３蓋板（１３６）を閉じたときに、前記第３仕切板（１４６）が前記第２蓋連結部（１３８ｃ）に干渉しないようにするための第４蓋逃げ部（１４６ｇ）が前記第３仕切板（１４６）に設けられており、
前記第１仕切板（１４２）は前記第１仕切板折り曲げ部（１４２ａ）と平行な第１仕切板縁部（１４２ｂ）を含み、
前記第２仕切板（１４４）は前記第２仕切板折り曲げ部（１４４ａ）と平行な第２仕切板縁部（１４４ｂ）を含み、
前記第３仕切板（１４６）は前記第３仕切板折り曲げ部（１４６ａ）と平行な第３仕切板縁部（１４６ｂ）を含み、
前記第４仕切板（１４８）は前記第４仕切板折り曲げ部（１４８ａ）と平行な第４仕切板縁部（１４８ｂ）を含み、
前記第２仕切板（１４４）の前記第１切れ目（１８４）は、前記第２仕切板縁部（１４４ｂ）と直角に交差するように形成され、
前記第４仕切板（１４８）の前記第２切れ目（１８８）は、前記第４仕切板縁部（１４８ｂ）と直角に交差するように形成され、
前記第１仕切板（１４２）は前記第１仕切板折り曲げ部（１４２ａ）のところで直角に折り曲げられ、前記第１仕切板縁部（１４２ｂ）が前記底部（１２０）に近づくように構成され、
前記第２仕切板（１４４）は前記第２仕切板折り曲げ部（１４４ａ）のところで直角に折り曲げられ、前記第２仕切板縁部（１４４ｂ）が前記底部（１２０）に近づくように構成され、
前記第３仕切板（１４６）は前記第３仕切板折り曲げ部（１４６ａ）のところで直角に折り曲げられ、前記第３仕切板縁部（１４６ｂ）が前記底部（１２０）に近づくように構成され、
前記第４仕切板（１４８）は前記第４仕切板折り曲げ部（１４８ａ）のところで直角に折り曲げられ、前記第４仕切板縁部（１４８ｂ）が前記底部（１２０）に近づくように構成され、
前記第１仕切板（１４２）と前記第３仕切板（１４６）は、互いに密着して前記第１切れ目（１８４）に、締め代をもって嵌まり込むように構成され、
前記第１仕切板（１４２）と前記第３仕切板（１４６）は、互いに密着して前記第２切れ目（１８８）に、締め代をもって嵌まり込むように構成されており、
さらに、前記蓋部（１３０）と一体になる部分と、前記底部（１２０）と一体になる部分とに前記側部（１１０）を分離するための側カット部（２１２）が前記側部（１１０）に設けられており、
前記側カット部（２１２）を設ける位置は、前記側部（１１０）において、前記底部（１２０）よりも前記蓋部（１３０）に近い部分にあるようになっており、
（い）前記仕切板付き箱内に配置された物品は、前記仕切板により区分された区画内に配置され、かつ、前記蓋部（１３０）に近い方の端面にフランジ（１７０ｆ）を有するように配置されている、
ことを特徴とする物品入り仕切板付き箱。
【請求項４】
仕切板付き箱と、前記仕切板付き箱内に配置された物品（１７０）とからなる物品入り仕切板付き箱であって、
（あ）前記仕切板付き箱は、
側部（１１０）と、底部（１２０）と、蓋部（１３０）とを含み、かつ、ほぼ直方体の形状を有するように構成され、
前記側部（１１０）は、第１側板（１１２）と、前記第１側板（１１２）に対して直角に設けられた第２側板（１１４）と、前記第１側板（１１２）に対して平行に設けられかつ前記第２側板（１１４）に対して直角に設けられた第３側板（１１６）と、前記第１側板（１１２）に対して直角に設けられかつ前記第２側板（１１４）に対して平行に設けられた第４側板（１１８）とを含み、
前記底部（１２０）は、前記第１側板（１１２）、前記第２側板（１１４）、前記第３側板（１１６）、前記第４側板（１１８）に対して直角に設けられた、１つ以上の底板（１２２、１２４、１２６、１２８）を含み、
前記蓋部（１３０）は、前記第１側板（１１２）に対して直角に設けられた第１蓋板（１３２）と、前記第２側板（１１４）に対して直角に設けられた第２蓋板（１３４）と、前記第３側板（１１６）に対して直角に設けられた第３蓋板（１３６）と、前記第４側板（１１８）に対して直角に設けられた第４蓋板（１３８）とを含み、
前記仕切板付き箱は、前記第１蓋板（１３２）に一体に設けられた第１仕切板（３４２）と、前記第２蓋板（１３４）に一体に設けられた第２仕切板（３４４）と、前記第３蓋板（１３６）に一体に設けられた第３仕切板（３４６）と、前記第４蓋板（１３８）に一体に設けられた第４仕切板（３４８）とを備え、
第１蓋板折り曲げ部（１３２ａ）が前記第１側板（１１２）と前記第１蓋板（１３２）との間に設けられ、
第２蓋板折り曲げ部（１３４ａ）が前記第２側板（１１４）と前記第２蓋板（１３４）との間に設けられ、
第３蓋板折り曲げ部（１３６ａ）が前記第３側板（１１６）と前記第３蓋板（１３６）との間に設けられ、
第４蓋板折り曲げ部（１３８ａ）が前記第４側板（１１８）と前記第４蓋板（１３８）との間に設けられ、
第１仕切板折り曲げ部（１４２ａ）が前記第１蓋板（１３２）と前記第１仕切板（３４２）との間に設けられ、
第２仕切板折り曲げ部（１４４ａ）が前記第２蓋板（１３４）と前記第２仕切板（３４４）との間に設けられ、
第３仕切板折り曲げ部（１４６ａ）が前記第３蓋板（１３６）と前記第３仕切板（３４６）との間に設けられ、
第４仕切板折り曲げ部（１４８ａ）が前記第４蓋板（１３８）と前記第４仕切板（３４８）との間に設けられ、
前記第２仕切板折り曲げ部（１４４ａ）に対して直角に設けられた第１切れ目（３８４）が、前記第２蓋板（１３４）と前記第２仕切板（３４４）に設けられ、
前記第４仕切板折り曲げ部（１４８ａ）に対して直角に設けられた第２切れ目（３８８）が、前記第４蓋板（１３８）と前記第４仕切板（３４８）に設けられ、
前記第１切れ目（３８４）は、第２仕切板（３４４）において、前記第２仕切板折り曲げ部（１４４ａ）に近い方の一部分に形成され、
前記第２切れ目（３８８）は、第４仕切板（３４８）において、前記第４仕切板折り曲げ部（１４８ａ）に近い方の一部分に形成され、
前記第１切れ目（３８４）の端部と前記第２蓋板折り曲げ部（１３４ａ）との間には第１蓋連結部（１３４ｃ）が設けられ、
前記第２切れ目（３８８）の端部と前記第４蓋板折り曲げ部（１３８ａ）との間には第２蓋連結部（１３８ｃ）が設けられており、
前記４つの蓋板（１３２、１３４、１３６、１３８）を閉じたときに、仕切板（３４２、３４４、３４６、３４８）同士が相互に干渉しないようにするための逃げ部（３６２、３６４、３７２、３７４）が、前記第１仕切板（３４２）、前記第３仕切板（３４６）にそれぞれ設けられており、
前記第１蓋板（１３２）を閉じたときに、前記第１仕切板（３４２）が前記第１蓋連結部（１３４ｃ）に干渉しないようにするための第１蓋逃げ部（１４２ｆ）が前記第１仕切板（３４２）に設けられ、
前記第１蓋板（１３２）を閉じたときに、前記第１仕切板（３４２）が前記第２蓋連結部（１３８ｃ）に干渉しないようにするための第２蓋逃げ部（１４２ｇ）が前記第１仕切板（３４２）に設けられ、
前記第３蓋板（１３６）を閉じたときに、前記第３仕切板（３４６）が前記第１蓋連結部（１３４ｃ）に干渉しないようにするための第３蓋逃げ部（１４６ｆ）が前記第３仕切板（３４６）に設けられ、
前記第３蓋板（１３６）を閉じたときに、前記第３仕切板（３４６）が前記第２蓋連結部（１３８ｃ）に干渉しないようにするための第４蓋逃げ部（１４６ｇ）が前記第３仕切板（３４６）に設けられており、
前記第１仕切板（３４２）は前記第１仕切板折り曲げ部（１４２ａ）と平行な第１仕切板縁部（３４２ｂ）を含み、
前記第２仕切板（３４４）は前記第２仕切板折り曲げ部（１４４ａ）と平行な第２仕切板縁部（３４４ｂ）を含み、
前記第３仕切板（３４６）は前記第３仕切板折り曲げ部（１４６ａ）と平行な第３仕切板縁部（３４６ｂ）を含み、
前記第４仕切板（３４８）は前記第４仕切板折り曲げ部（１４８ａ）と平行な第４仕切板縁部（３４８ｂ）を含み、
前記第２仕切板（３４４）の前記第１切れ目（３８４）は、前記第２仕切板縁部（３４４ｂ）と直角に交差するように形成され、
前記第４仕切板（３４８）の前記第２切れ目（３８８）は、前記第４仕切板縁部（３４８ｂ）と直角に交差するように形成され、
前記第１仕切板（３４２）は前記第１仕切板折り曲げ部（１４２ａ）のところで直角に折り曲げられ、前記第１仕切板縁部（３４２ｂ）が前記底部（１２０）に近づくように構成され、
前記第２仕切板（３４４）は前記第２仕切板折り曲げ部（１４４ａ）のところで直角に折り曲げられ、前記第２仕切板縁部（３４４ｂ）が前記底部（１２０）に近づくように構成され、
前記第３仕切板（３４６）は前記第３仕切板折り曲げ部（１４６ａ）のところで直角に折り曲げられ、前記第３仕切板縁部（３４６ｂ）が前記底部（１２０）に近づくように構成され、
前記第４仕切板（３４８）は前記第４仕切板折り曲げ部（１４８ａ）のところで直角に折り曲げられ、前記第４仕切板縁部（３４８ｂ）が前記底部（１２０）に近づくように構成され、
前記第１仕切板（３４２）と前記第３仕切板（３４６）は、互いに密着して前記第１切れ目（３８４）に、締め代をもって嵌まり込むように構成され、
前記第１仕切板（３４２）と前記第３仕切板（３４６）は、互いに密着して前記第２切れ目（３８８）に、締め代をもって嵌まり込むように構成されており、
さらに、前記蓋部（１３０）と一体になる部分と、前記底部（１２０）と一体になる部分とに前記側部（１１０）を分離するための側カット部（２１２）が前記側部（１１０）に設けられており、
前記側カット部（２１２）を設ける位置は、前記側部（１１０）において、前記底部（１２０）よりも前記蓋部（１３０）に近い部分にあるようになっており、
（い）前記仕切板付き箱内に配置された物品は、前記仕切板により区分された区画内に配置され、かつ、前記蓋部（１３０）に近い方の端面にフランジ（１７０ｆ）を有するように配置されている、
ことを特徴とする物品入り仕切板付き箱。
【発明の詳細な説明】
【０００１】
【発明の属する技術分野】
本発明は、仕切板付き箱と、前記仕切板付き箱内に配置された物品とからなる物品入り仕切板付き箱に関する。
【０００２】
【従来の技術】
（１）実開平６−３５１１２号公報（第１の従来例）
図１６および図１７を参照すると、実開平６−３５１１２号公報に開示されている第１の従来例の仕切板付き箱においては、箱７００は、側部７１０と、底部７２０と、蓋部７３０とを含む。箱７００は段ボール紙で作られる。箱７００は、蓋部７３０を閉じたときに、ほぼ直方体の形状を有する。側部７１０は、第１側板７１２と、第２側板７１４と、第３側板７１６と、第４側板７１８とを含む。底部７２０は、第１底板７２２と、第２底板７２４と、第３底板７２６と、第４底板７２８とを含む。蓋部７３０は、第１蓋板７３２と、第２蓋板７３４と、第３蓋板７３６と、第４蓋板７３８とを含む。
【０００３】
第１側板７１２と第２側板７１４と第３側板７１６と第４側板７１８とがつながり、第１底板７２２が第１側板７１２につながり、第２底板７２４が第２側板７１４につながり、第３底板７２６が第３側板７１６につながり、第４底板７２８が第４側板７１８につながり、第１蓋板７３２が第１側板７１２につながり、第２蓋板７３４が第２側板７１４につながり、第３蓋板７３６が第３側板７１６につながり、第４蓋板７３８が第４側板７１８につながり、第１仕切板７４２が第１底板７２２につながり、第２仕切板７４４が第２底板７２４につながり、第３仕切板７４６が第３底板７２６につながり、第４仕切板７４８が第４底板７２８につながる形状になるように、段ボール紙の原料シートから箱の外形形状を打ちぬき、箱の原料を形成する。この原料シートには、溝７５４および７５８と、切欠部７６２、７６４、７６６、７６８が形成される。
【０００４】
第１仕切板７４２は、第１仕切板縁部７４２ｂが箱の内部に向かうように（図１７において、紙面の裏側に向かう方向に）直角に折り曲げられる。第２仕切板７４４は、第２仕切板縁部７４４ｂが箱の内部に向かうように（図１７において、紙面の裏側に向かう方向に）直角に折り曲げられる。第３仕切板７４６は、第３仕切板縁部７４６ｂが箱の内部に向かうように（図１７において、紙面の裏側に向かう方向に）直角に折り曲げられる。第４仕切板７４８は、第４仕切板縁部７４８ｂが箱の内部に向かうように（図１７において、紙面の裏側に向かう方向に）直角に折り曲げられる。
第１底板７２２は、第１仕切板７４２とつながった部分が箱の内部に向かうように（図１７において、紙面の裏側に向かう方向に）直角に折り曲げられる。第２底板７２４は、第２仕切板７４４とつながった部分が箱の内部に向かうように（図１７において、紙面の裏側に向かう方向に）直角に折り曲げられる。第３底板７２６は、第３仕切板７４６とつながった部分が箱の内部に向かうように（図１７において、紙面の裏側に向かう方向に）直角に折り曲げられる。第４底板７２８は、第４仕切板７４８とつながった部分が箱の内部に向かうように（図１７において、紙面の裏側に向かう方向に）直角に折り曲げられる。
【０００５】
第２側板７１４が箱の内部に向かうように（図１７において、紙面の裏側に向かう方向に）、第２側板７１４を第１側板７１２と直角になるように折り曲げる。第３側板７１６が箱の内部に向かうように（図１７において、紙面の裏側に向かう方向に）、第３側板７１６を第２側板７１４と直角になるように折り曲げる。第４側板７１８が箱の内部に向かうように（図１７において、紙面の裏側に向かう方向に）、第４側板７１８を第３側板７１６と直角になるように折り曲げる。第２底板７２４と第４底板７２８が箱の内側に位置し、第１底板７２２と第３底板７２６が箱の外側に位置するように配置する。溝７５４と切欠部７６４、７６６が嵌め合い、溝７５８と切欠部７６２、７６８が嵌め合う。
それによって、第１側板７１２と第２側板７１４と第３側板７１６と第４側板７１８は四角柱を形成し、底部７２０から蓋部７３０の方に延びた仕切板７４２、７４４、７４６、７４８により、箱の内部に６つの区画が形成される。
【０００６】
（２）登録実用新案公報第３０６１２７４号（第２の従来例）
図１８および図１９を参照すると、登録実用新案公報第３０６１２７４号に開示されている第２の従来例の仕切板付き箱においては、箱８００は、側部８１０と、底部８２０と、蓋部８３０とを含む。箱８００は板紙で作られる。箱８００は、蓋部８３０を閉じたときに、ほぼ直方体の形状を有する。側部８１０は、第１側板８１２と、第２側板８１４と、第３側板８１６と、第４側板８１８とを含む。底部８２０は、第１底板８２２と、第２底板８２４と、第３底板８２６と、第４底板８２８とを含む。蓋部８３０は、第１蓋板８３２と、第２蓋板８３４と、第３蓋板８３６と、第４蓋板８３８とを含む。
第１側板８１２と第２側板８１４と第３側板８１６と第４側板８１８とがつながり、第１底板８２２が第１側板８１２につながり、第２底板８２４が第２側板８１４につながり、第３底板８２６が第３側板８１６につながり、第４底板８２８が第４側板８１８につながり、第１蓋板８３２が第１側板８１２につながり、第２蓋板８３４が第２側板８１４につながり、第３蓋板８３６が第３側板８１６につながり、第４蓋板８３８が第４側板８１８につながり、第１仕切板８４４が第２蓋板８３４につながり、第２仕切板８４８が第４蓋板８３８につながる形状になるように、板紙原料シートから箱の外形形状を打ちぬき、箱の原料を形成する。
【０００７】
第１仕切板８４４は、第１仕切板縁部８４４ｂが箱の内部に向かうように（図１９において、紙面の裏側に向かう方向に）直角に折り曲げられる。第２仕切板８４８は、第２仕切板縁部８４８ｂが箱の内部に向かうように（図１９において、紙面の裏側に向かう方向に）直角に折り曲げられる。
第１底板８２２は、第１底板縁部８２２ｂが箱の内部に向かうように（図１９において、紙面の裏側に向かう方向に）直角に折り曲げられる。第２底板８２４は、第２底板縁部８２４ｂが箱の内部に向かうように（図１９において、紙面の裏側に向かう方向に）直角に折り曲げられる。第３底板８２６は、第３底板縁部８２６ｂが箱の内部に向かうように（図１９において、紙面の裏側に向かう方向に）直角に折り曲げられる。第４底板８２８は、第４底板縁部８２８ｂが箱の内部に向かうように（図１９において、紙面の裏側に向かう方向に）直角に折り曲げられる。
【０００８】
第１仕切板８４４を第２蓋板８３４と直角になるように折り曲げる。第２仕切板８４８を第４蓋板８３８と直角になるように折り曲げる。
第２側板８１４が箱の内部に向かうように（図１９において、紙面の裏側に向かう方向に）、第２側板８１４を第１側板８１２と直角になるように折り曲げる。第３側板８１６が箱の内部に向かうように（図１９において、紙面の裏側に向かう方向に）、第３側板８１６を第２側板８１４と直角になるように折り曲げる。第４側板８１８が箱の内部に向かうように（図１９において、紙面の裏側に向かう方向に）、第４側板８１８を第３側板８１６と直角になるように折り曲げる。
それによって、第１側板８１２と第２側板８１４と第３側板８１６と第４側板８１８は四角柱を形成する。
図１８を参照すると、箱８００の中に３個の物品（図示せず）を配置する。次に、第１仕切板８４４が第１の物品と第２の物品との間に位置するように、第２蓋板８３４を第２側板８１４と直角になるように折り曲げる。また、第２仕切板８４８が第２の物品と第３の物品との間に位置するように、第４蓋板８３８を第４側板８１８と直角になるように折り曲げる。
それによって、第１仕切板８４４により第１の物品と第２の物品を仕切り、第２仕切板８４８により第２の物品と第３の物品を仕切る。
【０００９】
（３）登録実用新案公報第３０６１２７４号（第３の従来例）
また、登録実用新案公報第３０６１２７４号に開示されている第３の従来例の仕切板付き箱においては、底板と仕切板に屈曲した形状の切欠穴が設けられる。係止片が仕切板の縁に設けられる。箱を組立てるとき、係止片を折り曲げて切欠穴の中に挿入する。そして、係止片の屈曲を平坦に戻す。
【００１０】
【発明が解決しようとする課題】
（１）第１の従来例の課題
しかし、第１の従来例のダンボール箱では、スリットの端部が底板の折り曲げ部に接しているので、底板を折り曲げるときにスリットの両側にある底板が同じ角度に曲がりにくい課題があった。
また、第１の従来例のダンボール箱では、仕切りが底部から蓋部に向かって延びているので、箱内に収容された物品の上部に設けられたフランジが仕切りを乗り越え、箱の上部からの圧縮荷重により、箱内に収容された物品が破裂するおそれがあった。
更に、第１の従来例のダンボール箱では、仕切りが底部から蓋部に向かって、箱の高さの約１／２だけ延びているので、箱の上部からの圧縮荷重により、箱が圧縮変形し、箱内に収容された物品が損傷するおそれがあった。
【００１１】
（２）第２の従来例の課題
第２の従来例の包装箱では、一体に形成された展開形状の原紙を用いた場合、３個の物品を１列に配列して収容することしかできなかった。そして、更に多くの数の物品、例えば、４個又は６個の物品を１列に配列して収容するには、包装箱と別個に形成した仕切り板を用意しなければならなかった。また、このようにして４個又は６個の物品を収容する包装箱を作ると、包装箱が細長くなって取扱性が悪くなり、製造工程が複雑になる課題があった。
【００１２】
（３）第３の従来例の課題
第３の従来例のダンボール箱では、仕切りが底部から蓋部に向かって延びているので、箱内に収容された物品の上部に設けられたフランジが仕切りを乗り越え、箱の上部からの圧縮荷重により、箱内に収容された物品が破裂するおそれがあった。
更に、第１の従来例、第３の従来例のダンボール箱では、仕切りが底部から蓋部に向かって延びるが、仕切りの上縁は蓋部に接触しないように構成されているので、箱の上部からの圧縮荷重により、箱が圧縮変形し、箱内に収容された物品が損傷するおそれがあった。
【００１３】
【発明の目的】
本発明の目的は、複数の物品を箱の内部に収納し、仕切板によって複数の物品を破損しないように保護することができるように構成された物品入り仕切板付き箱を提供することにある。本発明の他の目的は、蓋部と仕切板を同時に除去することができるように構成された仕切板付き箱を提供することにある。本発明の他の目的は、複数の物品を２列に並べて、互いに接触しないように収納することができる仕切板付き箱を提供することにある。
【００１４】
【課題を解決するための手段】
上記課題を解決するために、本発明は、物品入り仕切板付き箱において、以下に記載するような特徴を有する仕切板付き箱と、前記仕切板により区分された区画内に配置され、かつ、前記蓋部に近い方の端面にフランジを有する複数の物品とからなるように構成したことを特徴とする。この構成により、端面にフランジを有する複数の物品を、フランジを上にして、仕切板付き箱の内部に互いに接触しないように収納することができる。前記仕切板付き箱は、ほぼ直方体の形状を有し、かつ、側部と、底部と、蓋部とを含む。前記仕切板付き箱において、側部は、第１側板と、第１側板に対して直角に設けられた第２側板と、第１側板に対して平行に設けられかつ第２側板に対して直角に設けられた第３側板と、第１側板に対して直角に設けられかつ前記第２側板に対して平行に設けられた第４側板とを含み、底部は、第１側板、第２側板、第３側板、第４側板に対して直角に設けられた、１つ以上の底板を含み、蓋部は、第１側板に対して直角に設けられた第１蓋板と、第２側板に対して直角に設けられた第２蓋板と、第３側板に対して直角に設けられた第３蓋板と、第４側板に対して直角に設けられた第４蓋板とを含むように構成されている。更に、前記仕切板付き箱は、第１蓋板に一体に設けられた第１仕切板と、第２蓋板に一体に設けられた第２仕切板と、第３蓋板に一体に設けられた第３仕切板と、第４蓋板に一体に設けられた第４仕切板とを備える。
【００１５】
更に、前記仕切板付き箱においては、第１蓋板折り曲げ部が第１側板と第１蓋板との間に設けられ、第２蓋板折り曲げ部が第２側板と第２蓋板との間に設けられ、第３蓋板折り曲げ部が第３側板と第３蓋板との間に設けられ、第４蓋板折り曲げ部が第４側板と第４蓋板との間に設けられ、第１仕切板折り曲げ部が第１蓋板と第１仕切板との間に設けられ、第２仕切板折り曲げ部が第２蓋板と第２仕切板との間に設けられ、第３仕切板折り曲げ部が第３蓋板と第３仕切板との間に設けられ、第４仕切板折り曲げ部が第４蓋板と第４仕切板との間に設けられる。
更に、前記仕切板付き箱においては、第２仕切板折り曲げ部に対して直角に設けられた第１スリットが、第２蓋板と第２仕切板に設けられ、第２仕切板は第１スリットにより２つの部分に分離され、第４仕切板折り曲げ部に対して直角に設けられた第２スリットが、第４蓋板と第４仕切板に設けられ、第４仕切板は第２スリットにより２つの部分に分離されるように構成される。
【００１６】
更に、前記仕切板付き箱においては、第１スリットの端部と第２蓋板折り曲げ部との間には第１蓋連結部が設けられ、第２スリットの端部と第４蓋板折り曲げ部との間には第２蓋連結部が設けられ、第１蓋板を閉じたときに、第１仕切板が第１蓋連結部に干渉しないようにするための第１蓋逃げ部が第１仕切板に設けられ、第１蓋板を閉じたときに、第１仕切板が第２蓋連結部に干渉しないようにするための第２蓋逃げ部が第１仕切板に設けられ、第３蓋板を閉じたときに、第３仕切板が第１蓋連結部に干渉しないようにするための第３蓋逃げ部が第３仕切板に設けられ、第３蓋板を閉じたときに、第３仕切板が第２蓋連結部に干渉しないようにするための第４蓋逃げ部が第３仕切板に設けられる。
【００１７】
更に、前記仕切板付き箱においては、第１仕切板は第１仕切板折り曲げ部と平行な第１仕切板縁部を含み、第２仕切板は第２仕切板折り曲げ部と平行な第２仕切板縁部を含み、第３仕切板は第３仕切板折り曲げ部と平行な第３仕切板縁部を含み、第４仕切板は第４仕切板折り曲げ部と平行な第４仕切板縁部を含み、第１仕切板は第１仕切板折り曲げ部のところで直角に折り曲げられ、第１仕切板縁部が底部に近づくように構成され、第２仕切板は第２仕切板折り曲げ部のところで直角に折り曲げられ、第２仕切板縁部が底部に近づくように構成され、第３仕切板は第３仕切板折り曲げ部のところで直角に折り曲げられ、第３仕切板縁部が底部に近づくように構成され、第４仕切板は第４仕切板折り曲げ部のところで直角に折り曲げられ、第４仕切板縁部が前記底部に近づくように構成される。
【００１８】
更に、前記仕切板付き箱においては、第１仕切板と第３仕切板は、互いに密着して第１スリットの中に入るように構成され、第１仕切板と第３仕切板は、互いに密着して第２スリットの中に入るように構成される。この構成により、複数の物品を２列に並べて、互いに接触しないように収納することができる。さらに、前記仕切板付き箱では、蓋部と一体になる部分と、底部と一体になる部分とに側部を分離するための側カット部が、側部に設けられる。前記側カット部を設ける位置は、側部において、底部よりも蓋部に近い部分にあるようになっている。この構成により、蓋部と仕切板を簡単かつ同時に除去することができる。そして、蓋部と仕切板を除去すれば、箱に収容された物品を整列させたままで展示することができるし、箱に収容された物品を簡単に取り出すこともできる。
【００１９】
また、本発明においては、第１スリットの代わりに、第２仕切板折り曲げ部に対して直角に設けられた第１長孔が、第２蓋板と第２仕切板に形成され、第２スリットの代わりに、第４仕切板折り曲げ部に対して直角に設けられた第２長孔が、第４蓋板と第４仕切板に形成され、４つの蓋板を閉じたときに、仕切板同士が相互に干渉しないようにするための逃げ部が２つの仕切板にそれぞれ設けられるのが好ましい。また、本発明においては、第２仕切板縁部および第４仕切板縁部は底部に接触するように構成され、及び／又は、第１仕切板縁部および第３仕切板縁部は底部に接触するように構成されるのが好ましい。この構成により、仕切板付き箱の上部からの圧縮荷重によって箱が圧縮変形するおそれが少なくなり、したがって、仕切板付き箱内に収容された物品が損傷するおそれを少なくすることができる。
【００２０】
更に、本発明では、側部と、底部と、蓋部とを含み、ほぼ直方体の形状を有する仕切板付き箱において、蓋部から底部に向かって延びる第１仕切板、第２仕切板、第３仕切板、第４仕切板を備え、第１仕切板と第３仕切板は密着し、第２仕切板及び第４仕切板は、第１仕切板及び第３仕切板に対して直角になるように配置されることを特徴とする。この構成により、複数の物品を２列に並べて、互いに接触しないように収納することができ、仕切板付き箱の上部からの圧縮荷重によって箱が圧縮変形するおそれを少なくすることができる。
【００２１】
更に、本発明の変形形態では、第２仕切板折り曲げ部に対して直角に設けられた第１切れ目を、第２蓋板と第２仕切板に設け、第４仕切板折り曲げ部に対して直角に設けられた第２切れ目を、第４蓋板と第４仕切板に設けるように構成する。この変形形態においては、第１切れ目の端部と第２蓋板折り曲げ部との間には第１蓋連結部が設けられ、第２切れ目の端部と第４蓋板折り曲げ部との間には第２蓋連結部が設けられる。また、この変形形態においては、第２仕切板の第１切れ目は、第２仕切板縁部と直角に交差するように形成され、第４仕切板の第２切れ目は、第４仕切板縁部と直角に交差するように形成されるのが好ましい。
そして、この変形形態においては、第１仕切板と第３仕切板は、互いに密着して第１切れ目に、締め代をもって嵌まり込むように構成され、第１仕切板と第３仕切板は、互いに密着して第２切れ目に、締め代をもって嵌まり込むように構成される。
この構成により、複数の物品を２列に並べて、互いに接触しないように収納することができ、締め代をもって仕切板同士を保持することができる。
また、本発明の他の変形形態では、第１切れ目は、第２仕切板において、第２仕切板折り曲げ部に近い方の一部分に形成され、第２切れ目は、第４仕切板において、第４仕切板折り曲げ部に近い方の一部分に形成される。
【００２２】
更に、本発明の他の変形形態の仕切板付き箱は、側部と、底部と、蓋部とを含み、ほぼ直方体の形状を有する仕切板付き箱において、蓋部から底部に向かって延びる第１仕切板、第２仕切板、第３仕切板、第４仕切板を備え、第１仕切板と第３仕切板は密着し、第２仕切板及び第４仕切板は、第１仕切板及び第３仕切板に対して直角になるように配置され、第１仕切板と第３仕切板は、第２仕切板の一部分及び第４仕切板の一部分に、締め代をもって嵌まり込むように構成されることを特徴とする。
この構成により、複数の物品を２列に並べて、互いに接触しないように収納することができ、仕切板付き箱の上部からの圧縮荷重によって箱が圧縮変形するおそれを少なくすることができる。また、この構成により、締め代をもって仕切板同士を保持することができる。
【００２３】
【発明の実施の形態】
以下に、本発明の実施形態を図面に基づいて説明する。なお、仕切板付き箱の構造を明瞭に示すために、各図面において、仕切板付き箱の材料の厚さを強調して図示している。
（１）第１の実施形態
（１・１）仕切板付き箱の構造
図１から図４を参照すると、本発明の「物品入り仕切板付き箱」の第１の実施形態において、箱１００は、側部１１０と、底部１２０と、蓋部１３０とを含む。箱１００は、例えば、板紙（段ボール紙、厚紙）等で作られる。箱１００は、直角に曲げることができる材料で形成される。箱１００を構成する材料の厚さを「ＴＨ」と定義する。
【００２４】
箱１００は、蓋部１３０を閉じたときに、ほぼ直方体の形状を有する。側部１１０は、第１側板１１２と、第１側板１１２に対して直角に設けられた第２側板１１４と、第１側板１１２に対して平行に設けられかつ第２側板１１４に対して直角に設けられた第３側板１１６と、第１側板１１２に対して直角に設けられかつ第２側板１１４に対して平行に設けられた第４側板１１８とを含む。第２側板１１４は第１側板１１２と一体に設けられる。第３側板１１６は第２側板１１４と一体に設けられる。第４側板１１８は第３側板１１６と一体に設けられる。
【００２５】
第１側板折り曲げ部１１２ａが第１側板１１２と第２側板１１４との間に設けられる。第２側板折り曲げ部１１４ａが第２側板１１４と第３側板１１６との間に設けられる。第３側板折り曲げ部１１６ａが第３側板１１６と第４側板１１８との間に設けられる。
底部１２０は、第１側板１１２に対して直角に設けられた第１底板１２２と、第２側板１１４に対して直角に設けられた第２底板１２４と、第３側板１１６に対して直角に設けられた第３底板１２６と、第４側板１１８に対して直角に設けられた第４底板１２８とを含む。第１底板１２２は第１側板１１２と一体に設けられる。第２底板１２４は第２側板１１４と一体に設けられる。第３底板１２６は第３側板１１６と一体に設けられる。第４底板１２８は第４側板１１８と一体に設けられる。
第１底板折り曲げ部１２２ａが第１側板１１２と第１底板１２２との間に設けられる。第２底板折り曲げ部１２４ａが第２側板１１４と第２底板１２４との間に設けられる。第３底板折り曲げ部１２６ａが第３側板１１６と第３底板１２６との間に設けられる。第４底板折り曲げ部１２８ａが第４側板１１８と第４底板１２８との間に設けられる。
【００２６】
第１底板１２２は第１底板折り曲げ部１２２ａと平行な第１底板縁部１２２ｂを含む。第２底板１２４は第２底板折り曲げ部１２４ａと平行な第２底板縁部１２４ｂを含む。第３底板１２６は第３底板折り曲げ部１２６ａと平行な第３底板縁部１２６ｂを含む。第４底板１２８は第４底板折り曲げ部１２８ａと平行な第４底板縁部１２８ｂを含む。
蓋部１３０は、蓋部１３０を閉じたときに第１側板１１２に対して直角になるように設けられた第１蓋板１３２と、蓋部１３０を閉じたときに第２側板１１４に対して直角になるように設けられた第２蓋板１３４と、蓋部１３０を閉じたときに第３側板１１６に対して直角になるように設けられた第３蓋板１３６と、蓋部１３０を閉じたときに第４側板１１８に対して直角になるように設けられた第４蓋板１３８とを含む。第１蓋板１３２は第１側板１１２と一体に設けられる。第２蓋板１３４は第２側板１１４と一体に設けられる。第３蓋板１３６は第３側板１１６と一体に設けられる。第４蓋板１３８は第４側板１１８と一体に設けられる。
【００２７】
箱１００は、第１蓋板１３２に一体に設けられた第１仕切板１４２と、第２蓋板１３４に一体に設けられた第２仕切板１４４と、第３蓋板１３６に一体に設けられた第３仕切板１４６と、第４蓋板１３８に一体に設けられた第４仕切板１４８とを備える。
箱１００は、第１側板１１２に一体に設けられた側固定部１６０を備える。側固定部１６０は、第１側板１１２において、第２側板１１４と一体になった縁部と反対側にある縁部に一体に設けられる。側固定部１６０は、第１側板１１２の縁部と第４側板１１８の縁部とを一体に接合するために設けられる。側固定部折り曲げ部１６０ａが第１側板１１２と側固定部１６０との間に設けられる。
【００２８】
第１蓋板折り曲げ部１３２ａが第１側板１１２と第１蓋板１３２との間に設けられる。第２蓋板折り曲げ部１３４ａが第２側板１１４と第２蓋板１３４との間に設けられる。第３蓋板折り曲げ部１３６ａが第３側板１１６と第３蓋板１３６との間に設けられる。第４蓋板折り曲げ部１３８ａが第４側板１１８と第４蓋板１３８との間に設けられる。
第１仕切板折り曲げ部１４２ａが第１蓋板１３２と第１仕切板１４２との間に設けられる。第２仕切板折り曲げ部１４４ａが第２蓋板１３４と第２仕切板１４４との間に設けられる。第３仕切板折り曲げ部１４６ａが第３蓋板１３６と第３仕切板１４６との間に設けられる。第４仕切板折り曲げ部１４８ａが第４蓋板１３８と第４仕切板１４８との間に設けられる。
【００２９】
第２仕切板折り曲げ部１４４ａに対して直角に設けられた第１スリット１５４が、第２蓋板１３４と第２仕切板１４４に設けられる。第２仕切板１４４は第１スリット１５４により２つの部分に分離されるように構成される。
第１スリット１５４の端部と第２蓋板折り曲げ部１３４ａとの間には第１蓋連結部１３４ｃが設けられる。第１蓋連結部１３４ｃの幅ＷＢ１は、第２蓋板１３４の幅ＷＦ１の１／１０〜５／１０であるのが好ましい。
第１蓋連結部１３４ｃを設けることにより、第１スリット１５４の端部は第２蓋板折り曲げ部１３４ａに接しないので、第２蓋板１３４を折り曲げるときに第１スリット１５４の両側にある第２蓋板１３４を容易に同じ角度に曲げることができる。
第４仕切板折り曲げ部１４８ａに対して直角に設けられた第２スリット１５８が、第４蓋板１３８と第４仕切板１４８に設けられる。第４仕切板１４８は第２スリット１５８により２つの部分に分離されるように構成される。
第２スリット１５８の端部と第４蓋板折り曲げ部１３８ａとの間には第２蓋連結部１３８ｃが設けられる。第２蓋連結部１３８ｃの幅ＷＢ２は、第４蓋板１３８の幅ＷＦ２の１／１０〜５／１０であるのが好ましい。
第２蓋連結部１３８ｃを設けることにより、第２スリット１５８の端部は第４蓋板折り曲げ部１３８ａに接しないので、第４蓋板１３８を折り曲げるときに第２スリット１５８の両側にある第４蓋板１３８を容易に同じ角度に曲げることができる。
【００３０】
第１蓋板１３２を閉じたときに、第１仕切板１４２が第１蓋連結部１３４ｃに干渉しないようにするための第１蓋逃げ部１４２ｆが第１仕切板１４２に設けられる。第１蓋逃げ部１４２ｆの形状は、第１蓋連結部１３４ｃの形状に対応するように決定される。
第１蓋板１３２を閉じたときに、第１仕切板１４２が第２蓋連結部１３８ｃに干渉しないようにするための第２蓋逃げ部１４２ｇが第１仕切板１４２に設けられる。第２蓋逃げ部１４２ｇの形状は、第２蓋連結部１３８ｃの形状に対応するように決定される。
第３蓋板１３６を閉じたときに、第３仕切板１４６が第１蓋連結部１３４ｃに干渉しないようにするための第３蓋逃げ部１４６ｆが第３仕切板１４６に設けられる。第３蓋逃げ部１４６ｆの形状は、第１蓋連結部１３４ｃの形状に対応するように決定される。
第３蓋板１３６を閉じたときに、第３仕切板１４６が第２蓋連結部１３８ｃに干渉しないようにするための第４蓋逃げ部１４６ｇが第３仕切板１４６に設けられる。第４蓋逃げ部１４６ｇの形状は、第２蓋連結部１３８ｃの形状に対応するように決定される。
【００３１】
第１仕切板１４２は第１仕切板折り曲げ部１４２ａと平行な第１仕切板縁部１４２ｂを含む。第２仕切板１４４は第２仕切板折り曲げ部１４４ａと平行な第２仕切板縁部１４４ｂを含む。第３仕切板１４６は第３仕切板折り曲げ部１４６ａと平行な第３仕切板縁部１４６ｂを含む。第４仕切板１４８は第４仕切板折り曲げ部１４８ａと平行な第４仕切板縁部１４８ｂを含む。
第１蓋板１３２を閉じたときに、第１仕切板１４２は第１仕切板折り曲げ部１４２ａのところで直角に折り曲げられ、第１仕切板縁部１４２ｂが底部１２０に近づくように構成される。第２蓋板１３４を閉じたときに、第２仕切板１４４は第２仕切板折り曲げ部１４４ａのところで直角に折り曲げられ、第２仕切板縁部１４４ｂが底部１２０に近づくように構成される。第３蓋板１３６を閉じたときに、第３仕切板１４６は第３仕切板折り曲げ部１４６ａのところで直角に折り曲げられ、第３仕切板縁部１４６ｂが底部１２０に近づくように構成される。第４蓋板１３８を閉じたときに、第４仕切板１４８は第４仕切板折り曲げ部１４８ａのところで直角に折り曲げられ、第４仕切板縁部１４８ｂが底部１２０に近づくように構成される。
【００３２】
第１蓋板１３２と第３蓋板１３６を閉じたときに、第１仕切板１４２と第３仕切板１４６は、互いに密着して第１スリット１５４の中に入り、また、第１仕切板１４２と第３仕切板１４６は、互いに密着して第２スリット１５８の中に入るように構成される。第１スリット１５４の深さおよび幅と、第２スリット１５８の深さおよび幅は、第１蓋板１３２と第３蓋板１３６を閉じたときに、第１仕切板１４２と第３仕切板１４６を嵌め込めるように構成される。
箱１００には、最大６個の物品を２列に並べて、互いに接触しないように収納することができる。
【００３３】
箱１００においては、第２仕切板縁部１４４ｂおよび第４仕切板縁部１４８ｂは底部１２０に接触するように構成され、及び／又は、第１仕切板縁部１４２ｂおよび第３仕切板縁部１４６ｂは底部１２０に接触するように構成されるのが好ましい。
このように構成すると、４つの仕切板が箱１００の上部からの圧縮荷重を支持するので、箱１００の上部からの圧縮荷重によって箱１００が圧縮変形するおそれが少なく、したがって、箱１００の中に収容された物品が損傷するおそれを少なくすることができる。
【００３４】
（１・２）仕切板付き箱の半完成品の製造
次に、本発明の仕切板付き箱の半完成品の製造方法の一例を説明する。
図４を参照すると、第１側板１１２と第２側板１１４と第３側板１１６と第４側板１１８とがつながり、第１底板１２２が第１側板１１２につながり、第２底板１２４が第２側板１１４につながり、第３底板１２６が第３側板１１６につながり、第４底板１２８が第４側板１１８につながり、第１蓋板１３２が第１側板１１２につながり、第２蓋板１３４が第２側板１１４につながり、第３蓋板１３６が第３側板１１６につながり、第４蓋板１３８が第４側板１１８につながり、第１仕切板１４２が第１蓋板１３２につながり、第２仕切板１４４が第２蓋板１３４につながり、第３仕切板１４６が第３蓋板１３６につながり、第４仕切板１４８が第４蓋板１３８につながり、側固定部１６０が、第１側板１１２において、第２側板１１４と接続した縁部と反対側にある縁部につながる形状になるように、段ボール紙、厚紙、ボール紙等の原料シートから仕切板付き箱の外形形状を打ちぬき、仕切板付き箱の原料を形成する。この仕切板付き箱の原料を形成する工程で、第１スリット１５４および第２スリット１５８も同時に形成するのがよい。
【００３５】
第１スリット１５４および第２スリット１５８を、仕切板付き箱の原料を形成する工程と別個の工程で形成してもよい。すなわち、仕切板付き箱の原料を形成する工程の前に、第１スリット１５４および第２スリット１５８を原料シートに形成してもよいし、或いは、仕切板付き箱の原料を形成する工程の後で、第１スリット１５４および第２スリット１５８を原料シートに形成してもよい。
【００３６】
第１スリット１５４および第２スリット１５８は、スリット幅ＷＴが２ＴＨ（ＴＨ：材料の厚さ）以上になるように、孔抜き加工により形成してもよいし、或いは、カッターにより切断加工してもよい。
すなわち、本明細書において、「スリット」とは、スリット幅ＷＴが２ＴＨ以上であるような細長い部分、及び、長孔を包含する概念である。換言すれば、本明細書において、「スリット」は、スリット幅ＷＴが２ＴＨ以上であるような「帯状の空間」を意味している。
第１スリット１５４のスリット幅ＷＴおよび第２スリット１５８のスリット幅ＷＴは、それぞれ、２ＴＨ〜３ＴＨであるのが好ましく、２ＴＨ〜２．２ＴＨであるのが更に好ましい。
【００３７】
第１仕切板１４２は、第１仕切板折り曲げ部１４２ａのところで、第１仕切板縁部１４２ｂが箱の内部に向かうように（図４において、紙面の裏側に向かう方向に）直角に折り曲げられる。第２仕切板１４４は、第２仕切板折り曲げ部１４４ａのところで、第２仕切板縁部１４４ｂが箱の内部に向かうように（図４において、紙面の裏側に向かう方向に）直角に折り曲げられる。第３仕切板１４６は、第３仕切板折り曲げ部１４６ａのところで、第３仕切板縁部１４６ｂが箱の内部に向かうように（図４において、紙面の裏側に向かう方向に）直角に折り曲げられる。第４仕切板１４８は、第４仕切板折り曲げ部１４８ａのところで、第４仕切板縁部１４８ｂが箱の内部に向かうように（図４において、紙面の裏側に向かう方向に）直角に折り曲げられる。
【００３８】
第１蓋板１３２は、第１蓋板折り曲げ部１３２ａのところで、第１仕切板１４２の折り曲げ方向と逆方向に（図４において、紙面の上側に向かう方向に）約４５度〜約９０度の範囲で折り曲げられる。第２蓋板１３４は、第２蓋板折り曲げ部１３４ａのところで、第２仕切板１４４の折り曲げ方向と逆方向に（図４において、紙面の上側に向かう方向に）約４５度〜約９０度の範囲で折り曲げられる。第３蓋板１３６は、第３蓋板折り曲げ部１３６ａのところで、第３仕切板１４６の折り曲げ方向と逆方向に（図４において、紙面の上側に向かう方向に）約４５度〜約９０度の範囲で折り曲げられる。第４蓋板１３８は、第４蓋板折り曲げ部１３８ａのところで、第４仕切板１４８の折り曲げ方向と逆方向に（図４において、紙面の上側に向かう方向に）約４５度〜約９０度の範囲で折り曲げられる。
【００３９】
第１底板１２２は、第１底板折り曲げ部１２２ａのところで、第１底板縁部１２２ｂが箱の内部に向かうように（図４において、紙面の裏側に向かう方向に）直角に折り曲げられる。第２底板１２４は、第２底板折り曲げ部１２４ａのところで、第２底板縁部１２４ｂが箱の内部に向かうように（図４において、紙面の裏側に向かう方向に）直角に折り曲げられる。第３底板１２６は、第３底板折り曲げ部１２６ａのところで、第３底板縁部１２６ｂが箱の内部に向かうように（図４において、紙面の裏側に向かう方向に）直角に折り曲げられる。第４底板１２８は、第４底板折り曲げ部１２８ａのところで、第４底板縁部１２８ｂが箱の内部に向かうように（図４において、紙面の裏側に向かう方向に）直角に折り曲げられる。
【００４０】
第２側板１１４が箱の内部に向かうように（図４において、紙面の裏側に向かう方向に）、第１側板折り曲げ部１１２ａのところで、第２側板１１４を第１側板１１２と直角になるように折り曲げる。第３側板１１６が箱の内部に向かうように（図４において、紙面の裏側に向かう方向に）、第２側板折り曲げ部１１４ａのところで、第３側板１１６を第２側板１１４と直角になるように折り曲げる。第４側板１１８が箱の内部に向かうように（図４において、紙面の裏側に向かう方向に）、第３側板折り曲げ部１１６ａのところで、第４側板１１８を第３側板１１６と直角になるように折り曲げる。側固定部１６０が箱の内部に向かうように（図４において、紙面の裏側に向かう方向に）、側固定部折り曲げ部１６０ａのところで、側固定部１６０を第１側板１１２と直角になるように折り曲げる。それによって、第１側板１１２と第２側板１１４と第３側板１１６と第４側板１１８は、四角柱を形成し、側固定部１６０は第１側板１１２に密着するようになる。
【００４１】
この工程では、第２底板１２４と第４底板１２８が箱の内側に位置し、第１底板１２２と第３底板１２６が箱の外側に位置するようにして、底部１２０を形成する。第１底板縁部１２２ｂと第３底板縁部１２６ｂを接合する。この接合は、片面粘着テープを用いてもよいし、固定用のファスナを用いてもよい。
変形例として、第２底板１２４と第４底板１２８が箱の外側に位置し、第１底板１２２と第３底板１２６が箱の内側に位置するようにして、底部１２０を形成してもよい。
側固定部１６０を第１側板１１２に接合する。この接合は、接着剤を用いてもよいし、両面粘着テープを用いてもよいし、片面粘着テープを用いてもよいし、固定用のファスナを用いてもよい。
以上の工程により、物品を収容する準備が整った状態にある仕切板付き箱の半完成品を製造することができる（図１〜図３参照）。
なお、図４に示す形状は本発明の仕切板付き箱を製造するための仕切板付き箱の外形形状の一例であり、他の形状を用いて本発明の仕切板付き箱を製造することもできる。例えば、第１底板と第３底板を一体にして構成してもよいし、第２底板と第４底板を一体にして構成してもよいし、第１側板と第４底板を接続して構成してもよい。
【００４２】
（１・３）物品入り仕切板付き箱の製造
図５を参照すると、箱１００の半完成品の中に６個の物品１７０を配置する。６個の物品１７０は、第１側板１１２にそって３個、第３側板１１６にそって３個、すなわち、第２側板１１４と第４側板１１８との間に２列に整列するように配置される。
箱１００に収納する物品の形状は、水平方向断面が円形又は楕円形又は正多角形であるのが好ましい。箱１００は、ジュース等を収容した円筒状の缶、ビール等収容した円筒状の瓶、茶等を収容した四角柱状のペットボトル、フルーツゼリー等収容した円錐台形状のプラスチック容器、ポテトチップスを収納した正八角柱の紙の筒状容器、卵等の円形断面を有する食品などを収納するのに適している。箱１００は、上部にフランジ部を有する容器を収納するのに適している。しかしながら、箱１００には、他のいかなる形状の物品を収容することもできる。
【００４３】
箱１００の半完成品の中に６個の物品を配置した後、第２蓋板１３４が第２底板１２４と平行になるように、第２蓋板１３４を閉じる。第２仕切板１４４は第２仕切板折り曲げ部１４４ａのところで直角に折り曲げられ、第２仕切板縁部１４４ｂが底部１２０近づき、あるいは、底部１２０に接触する。第４蓋板１３８が第４底板１２８と平行になるように、第４蓋板１３８を閉じる。第４仕切板１４８は第４仕切板折り曲げ部１４８ａのところで直角に折り曲げられ、第４仕切板縁部１４８ｂが底部１２０近づき、あるいは、底部１２０に接触する。そして、第２仕切板１４４は、第２側板１１４に隣接する２つの物品１７０と、箱１００の長手方向の中間にある２つの物品１７０との間に位置する。また、第４仕切板１４８は、第４側板１１８に隣接する２つの物品１７０と、箱１００の長手方向の中間にある２つの物品１７０との間に位置する。
【００４４】
図６〜図８を参照すると、第１蓋板１３２が第１底板１２２と平行になるように、第１蓋板１３２を閉じ、第３蓋板１３６が第３底板１２６と平行になるように、第３蓋板１３６を閉じる。第１仕切板１４２は第１仕切板折り曲げ部１４２ａのところで直角に折り曲げられ、第１仕切板縁部１４２ｂが底部１２０に近づき、あるいは、底部１２０に接触する。第３仕切板１４６は第３仕切板折り曲げ部１４６ａのところで直角に折り曲げられ、第３仕切板縁部１４６ｂが底部１２０に近づき、あるいは、底部１２０に接触する。
第１蓋板１３２と第３蓋板１３６を閉じたときに、第１仕切板１４２と第３仕切板１４６は、互いに密着して第１スリット１５４の中に入り、また、第１仕切板１４２と第３仕切板１４６は、互いに密着して第２スリット１５８の中に入る。したがって、第１仕切板１４２と第３仕切板１４６は密着し、第２仕切板１４４及び第４仕切板１４８は、第１仕切板１４２及び第３仕切板１４６に対して直角になるように配置される、
必要ならば、第１蓋板１３２と第３蓋板１３６を接合する。この接合は、片面粘着テープを用いてもよいし、固定用のファスナを用いてもよい。
箱１００には、最大６個の物品を２列に並べて、互いに接触しないように収納することができる。
【００４５】
箱１００においては、第１蓋板１３２、第２蓋板１３４、第３蓋板１３６、第４蓋板１３８を閉じたときに、第２仕切板縁部１４４ｂおよび第４仕切板縁部１４８ｂは底部１２０に接触し、及び／又は、第１仕切板縁部１４２ｂおよび第３仕切板縁部１４６ｂは底部１２０に接触するように構成されるのが好ましい。
このように構成することにより、４つの仕切板１４２、１４４、１４６、１４８が箱１００の上部からの圧縮荷重を支持するので、箱１００の上部からの圧縮荷重によって箱１００が圧縮変形するおそれが少なくなり、したがって、箱１００の内部に収容された物品１７０を損傷させるおそれが少なくなる。
以上説明したように、本発明により、上記のように構成された箱と、前記箱の前記４つの仕切板により区分された６つの区画内に配置され、水平方向断面が円形又は楕円形又は正多角形である６個の物品とからなる物品入り箱を実現することができる。
なお、本発明の物品入り箱においては、６つの区画の全てに物品を収容しなくてもよい。例えば、本発明の物品入り仕切板付き箱は、５つの区画だけに物品を収容してもよく、４つの区画だけに物品を収容してもよい。このような場合、空いた区画には、取扱説明書、皿、スプーン、フォーク、缶切り、栓抜き、手ふきなどを収容することができる。
【００４６】
本発明の物品入り仕切板付き箱は、４つの仕切板を備えた構成であるので、水平方向断面が円形又は楕円形又は正多角形である複数の物品を、仕切板付き箱の内部に互いに接触しないように収納することができる。
上記の本発明の物品入り仕切板付き箱においては、第２仕切板縁部１４４ｂおよび第４仕切板縁部１４８ｂと底部１２０との間の寸法は、前記物品１７０の上部と前記蓋部１３０との間の寸法より小さくなるように構成され、及び／又は、第１仕切板縁部１４２ｂおよび第３仕切板縁部１４６ｂと底部１２０との間の寸法は、前記物品１７０の上部と前記蓋部１３０との間の寸法より小さくなるように構成されるのが好ましい。
この構成により、箱１００の上部から圧縮荷重が加えられたとき、４つの仕切板１４２、１４４、１４６、１４８が上部からの圧縮荷重を支持するので、箱１００が圧縮変形するおそれが少なくなり、したがって、箱１００の内部に収容された物品１７０を損傷させるおそれを少なくすることができる。
【００４７】
（１・４）側カット部
本発明の「物品入り仕切板付き箱」の第１の実施形態において、箱１００は、さらに、側部１１０を、蓋部１３０と一体の上部分と、底部１２０と一体の下部分とに分離するための側カット部を含むように構成している。この構成により、簡単に、箱の蓋部１３０と４つの仕切板１４２、１４４、１４６、１４８を同時に除去することができる。
【００４８】
図１、図３および図４を参照すると、カットテープ２１２（二点鎖線で示す）が、第１蓋板折り曲げ部１３２ａ、第２蓋板折り曲げ部１３４ａ、第３蓋板折り曲げ部１３６ａ、第４蓋板折り曲げ部１３８ａと平行になるように（また、第１底板折り曲げ部１２２ａ、第２底板折り曲げ部１２４ａ、第３底板折り曲げ部１２６ａ、第４底板折り曲げ部１２８ａと平行になるように）、側部１１０（すなわち、第１側板１１２、第２側板１１４、第３側板１１６、第４側板１１８、側固定部１６０）の内側に固着される。カットテープ２１２を固着する位置は、側部１１０において、底部１２０よりも蓋部１３０に近い部分であるのが好ましい。底部１２０を基準としてカットテープ２１２を固着する位置（すなわち、カットテープ２１２の長手方向中心線の底部１２０からの距離）ＨＫは、側部１１０の高さをＨとしたときに、（２／１０）Ｈ〜（９／１０）Ｈの範囲にあるのが好ましく、（４／１０）Ｈ〜（８／１０）Ｈの範囲にあるのが一層好ましく、（５／１０）Ｈ〜（７／１０）Ｈの範囲にあるのが、なお一層好ましい。
【００４９】
図３及び図４を参照すると、側部１１０を、２つの部分に分離する作業を容易にするために、カットテープ２１２のある位置に対応するように、第１側板１１２、第３側板１１６にＨ形のミシン目２１４（一点鎖線で示す）を入れるのが好ましい。カットテープ２１２とミシン目２１４は側カット部２１０を構成する。
図９および図１０を参照すると、物品１７０を収容した箱１００について、ミシン目２１４の部分に指を入れてカットテープ２１２を引っ張ることにより、箱１００の蓋部１３０（すなわち、第１蓋板１３２、第２蓋板１３４、第３蓋板１３６、第４蓋板１３８）と仕切板１４２、１４４、１４６、１４８を同時に除去することができる。箱１００の蓋部１３０と４つの仕切板を除去すると、物品１７０は、箱１００の残りの部分に配置されたままになる。
上述したように箱１００の蓋部１３０と仕切板１４２、１４４、１４６、１４８を除去すれば、複数の物品を箱１００の中に整列させたままで展示することができるし、また、箱１００内の物品を簡単に取り出すこともできる。
【００５０】
（２）第２の実施形態
次に、本発明の第２の実施の形態を説明する。以下の説明は、本発明の第２の実施形態が本発明の第１の実施形態と異なる点を主に述べる。したがって、以下に記載がない個所は、前述した本発明の第１の実施形態についての説明をここに準用する。本発明の第２の実施の形態の特徴は、第１長孔３５４が第２蓋板３３４と第２仕切板３４４に設けられ、第２長孔３５８が第４蓋板１３８と第４仕切板３４８に設けられている点にある。図１１を参照すると、箱３００は、第１蓋板１３２に一体に設けられた第１仕切板３４２と、第２蓋板１３４に一体に設けられた第２仕切板３４４と、第３蓋板１３６に一体に設けられた第３仕切板３４６と、第４蓋板１３８に一体に設けられた第４仕切板３４８とを備える。第１仕切板３４２は第１仕切板折り曲げ部１４２ａと平行な第１仕切板縁部３４２ｂを含む。第２仕切板３４４は第２仕切板折り曲げ部１４４ａと平行な第２仕切板縁部３４４ｂを含む。第３仕切板３４６は第３仕切板折り曲げ部１４６ａと平行な第３仕切板縁部３４６ｂを含む。第４仕切板３４８は第４仕切板折り曲げ部１４８ａと平行な第４仕切板縁部３４８ｂを含む。
【００５１】
第２仕切板折り曲げ部１４４ａに対して直角に設けられた第１長孔３５４が、第２蓋板３３４と第２仕切板３４４に設けられる。
第１長孔３５４の第２蓋板折り曲げ部１３４ａに近い方の端部と第２蓋板折り曲げ部１３４ａとの間には第１蓋連結部１３４ｃが設けられる。
第４仕切板折り曲げ部１４８ａに対して直角に設けられた第２長孔３５８が、第４蓋板１３８と第４仕切板３４８に設けられる。
第２長孔３５８の第４蓋板折り曲げ部１３８ａに近い方の端部と第４蓋板折り曲げ部１３８ａとの間には第２蓋連結部１３８ｃが設けられる。
箱３００には、第１蓋逃げ部１４２ｆ、第２蓋逃げ部１４２ｇ、第３蓋逃げ部１４６ｆ、第４蓋逃げ部１４６ｇが設けられる。
第１長孔３５４の第２仕切板縁部３４４ｂに近い方の端部と第２仕切板縁部３４４ｂとの間には第１縁連結部３４４ｃが設けられる。第１縁連結部３４４ｃの幅ＷＧ１は、第２仕切板３４４の幅ＷＫ１の１／１０〜５／１０であるのが好ましい。
第２長孔３５８の第４仕切板縁部３４８ｂに近い方の端部と第４仕切板縁部３４８ｂとの間には第２縁連結部３４８ｃが設けられる。第２縁連結部３４８ｃの幅ＷＧ２は、第４仕切板３４８の幅ＷＫ２の１／１０〜５／１０であるのが好ましい。
【００５２】
第１蓋板１３２を閉じたときに、第１仕切板３４２が第１縁連結部３４４ｃに干渉しないようにするための第１縁逃げ部３６２が第１仕切板３４２に設けられる。第１縁逃げ部３６２の形状は、第１縁連結部３４４ｃの形状に対応するように決定される。
第１蓋板１３２を閉じたときに、第１仕切板３４２が第２縁連結部３４８ｃに干渉しないようにするための第２縁逃げ部３６４が第１仕切板３４２に設けられる。第２縁逃げ部３６４の形状は、第２縁連結部３４８ｃの形状に対応するように決定される。
第３蓋板１３６を閉じたときに、第３仕切板３４６が第１縁連結部３４４ｃに干渉しないようにするための第３縁逃げ部３７２が第３仕切板３４６に設けられる。第３縁逃げ部３７２の形状は、第１縁連結部３４４ｃの形状に対応するように決定される。
第３蓋板１３６を閉じたときに、第３仕切板３４６が第２縁連結部３４８ｃに干渉しないようにするための第４縁逃げ部３７４が第３仕切板３４６に設けられる。第４縁逃げ部３７４の形状は、第２縁連結部３４８ｃの形状に対応するように決定される。
【００５３】
箱３００は、前述した第１の実施形態と同様に、側カット部を含むように構成される。図１１を参照すると、箱３００には、カットテープ２１２（二点鎖線で示す）と、ミシン目２１４（一点鎖線で示す）を設けることができる。カットテープ２１２と、ミシン目２１４の構成と作用は、本発明の第１の実施形態と同様であるので、前述した本発明の第２の実施形態についての説明をここに準用する。
【００５４】
（３）第３の実施形態
次に、本発明の第３の実施の形態を説明する。以下の説明は、本発明の第３の実施形態が本発明の第１の実施形態と異なる点を主に述べる。したがって、以下に記載がない個所は、前述した本発明の第１の実施形態についての説明をここに準用する。本発明の第３の実施形態の特徴は、４個の物品を仕切板付き箱の内部で互いに接触しないように収納することができる点にある。図１２〜図１４を参照すると、本発明の第４の実施形態において、箱４００は、側部４１０と、底部４２０と、蓋部４３０とを含む。側部４１０は、第１側板４１２と、第２側板４１４と、第３側板４１６と、第４側板４１８とを含む。箱４００には、第１側板折り曲げ部４１２ａ、第２側板折り曲げ部４１４ａ、第３側板折り曲げ部４１６ａが設けられる。底部４２０は、第１底板４２２と、第２底板４２４と、第３底板４２６と、第４底板４２８とを含む。箱４００には、第１底板折り曲げ部４２２ａ、第２底板折り曲げ部４２４ａ、第３底板折り曲げ部４２６ａ、第４底板折り曲げ部４２８ａが設けられる。第１底板４２２は第１底板縁部４２２ｂを含む。第２底板４２４は第２底板縁部４２４ｂを含む。第３底板４２６は第３底板縁部４２６ｂを含む。第４底板４２８は第４底板縁部４２８ｂを含む。
【００５５】
蓋部４３０は、第１蓋板４３２と、第２蓋板４３４と、第３蓋板４３６と、第４蓋板４３８とを含む。箱４００は、第１仕切板４４２と、第２仕切板４４４と、第３仕切板４４６と、第４仕切板４４８と、側固定部４６０とを有する。箱４００には、側固定部折り曲げ部４６０ａ、第１蓋板折り曲げ部４３２ａ、第２蓋板折り曲げ部４３４ａ、第３蓋板折り曲げ部４３６ａ、第４蓋板折り曲げ部４３８ａ、第１仕切板折り曲げ部４４２ａ、第２仕切板折り曲げ部４４４ａ、第３仕切板折り曲げ部４４６ａ、第４仕切板折り曲げ部４４８ａが設けられる。
【００５６】
第２仕切板折り曲げ部４４４ａに対して直角に設けられた第１スリット４５４が、第２蓋板４３４と第２仕切板４４４に設けられる。第２仕切板４４４は第１スリット４５２により２つの部分に分離されるように構成される。
第１スリット４５４の端部と第２蓋板折り曲げ部４３４ａとの間には第１蓋連結部４３４ｃが設けられる。第１蓋連結部４３４ｃの幅ＷＢ１は、第２蓋板４３４の幅ＷＦ１の１／１０〜５／１０であるのが好ましい。
第４仕切板折り曲げ部４４８ａに対して直角に設けられた第２スリット４５８が、第４蓋板４３８と第４仕切板４４８に設けられる。第４仕切板４４８は第２スリット４５８により２つの部分に分離されるように構成される。
第２スリット４５８の端部と第４蓋板折り曲げ部４３８ａとの間には第２蓋連結部４３８ｃが設けられる。第２蓋連結部４３８ｃの幅ＷＢ２は、第４蓋板４３８の幅ＷＦ２の１／１０〜５／１０であるのが好ましい。
【００５７】
第１スリット４５４の端部と第２蓋板折り曲げ部４３４ａとの間には第１蓋連結部４３４ｃが設けられる。第１蓋連結部４３４ｃの幅ＷＢ１は、第２蓋板４３４の幅ＷＦ１の１／１０〜５／１０であるのが好ましい。
第２スリット４５８の端部と第４蓋板折り曲げ部４３８ａとの間には第２蓋連結部４３８ｃが設けられる。第２蓋連結部４３８ｃの幅ＷＢ２は、第４蓋板４３８の幅ＷＦ２の１／１０〜５／１０であるのが好ましい。
第１蓋板４３２を閉じたときに、第１仕切板４４２が第１蓋連結部４３４ｃに干渉しないようにするための第１蓋逃げ部４４２ｆが第１仕切板４４２に設けられる。第１蓋逃げ部４４２ｆの形状は、第１蓋連結部４３４ｃの形状に対応するように決定される。
第１蓋板４３２を閉じたときに、第１仕切板４４２が第２蓋連結部４３８ｃに干渉しないようにするための第２蓋逃げ部４４２ｇが第１仕切板４４２に設けられる。第２蓋逃げ部４４２ｇの形状は、第２蓋連結部４３８ｃの形状に対応するように決定される。
【００５８】
第３蓋板４３６を閉じたときに、第３仕切板４４６が第１蓋連結部４３４ｃに干渉しないようにするための第３蓋逃げ部４４６ｆが第３仕切板４４６に設けられる。第３蓋逃げ部４４６ｆの形状は、第１蓋連結部４３４ｃの形状に対応するように決定される。
第３蓋板４３６を閉じたときに、第３仕切板４４６が第２蓋連結部４３８ｃに干渉しないようにするための第４蓋逃げ部４４６ｇが第３仕切板４４６に設けられる。第４蓋逃げ部４４６ｇの形状は、第２蓋連結部４３８ｃの形状に対応するように決定される。
【００５９】
箱４００は、第１仕切板縁部４４２ｂ、第２仕切板縁部４４４ｂ、第３仕切板縁部４４６ｂ、第４仕切板縁部４４８ｂを含む。
第１蓋板４３２を閉じたときに、第１仕切板４４２は第１仕切板折り曲げ部４４２ａのところで直角に折り曲げられ、第１仕切板縁部４４２ｂが底部４２０に近づき、あるいは、底部４２０に接触するように構成される。第２蓋板４３４を閉じたときに、第２仕切板４４４は第２仕切板折り曲げ部４４４ａのところで直角に折り曲げられ、第２仕切板縁部４４４ｂが底部４２０に近づき、あるいは、底部４２０に接触するように構成される。第３蓋板４３６を閉じたときに、第３仕切板４４６は第３仕切板折り曲げ部４４６ａのところで直角に折り曲げられ、第３仕切板縁部４４６ｂが底部４２０近づき、あるいは、底部４２０に接触するように構成される。第４蓋板４３８を閉じたときに、第４仕切板４４８は第４仕切板折り曲げ部４４８ａのところで直角に折り曲げられ、第４仕切板縁部４４８ｂが底部４２０に近づき、あるいは、底部４２０に接触するように構成される。
【００６０】
箱４００においては、第２蓋板４３４と第４蓋板４３８を閉じたときに、第２仕切板４４４と第４仕切板４４８は、互いに密着して折り曲げられるように構成される。
箱４００においては、第１蓋板４３２と第３蓋板４３６を閉じたときに、第１仕切板４４２と第３仕切板４４６は、互いに密着して第１スリット４５４の中に入り、また、第１仕切板４４２と第３仕切板４４６は、互いに密着して第２スリット４５８の中に入るように構成される。
したがって、第１仕切板４４２と第３仕切板４４６は密着し、第２仕切板４４４及び第４仕切板４４８は密着し、かつ、第１仕切板４４２及び第３仕切板４４６に対して直角になるように配置される、
箱４００には、最大４個の物品を２列に並べて、互いに接触しないように収納することができる。
【００６１】
箱４００においては、第２仕切板縁部４４４ｂおよび第４仕切板縁部４４８ｂは底部４２０に接触するように構成され、及び／又は、第１仕切板縁部４４２ｂおよび第３仕切板縁部４４６ｂは底部４２０に接触するように構成されるのが好ましい。このように構成すると、４つの仕切板が箱４００の上部からの圧縮荷重を支持するので、箱４００の上部からの圧縮荷重によって箱４００が圧縮変形するおそれが少なく、したがって、箱４００の中に収容された物品４７０が損傷するおそれを少なくすることができる。箱４００は、本発明の第１の実施形態と同様に、側カット部を含むように構成される。図１２および図１３を参照すると、箱４００には、カットテープ４６２（二点鎖線で示す）と、ミシン目４６４（一点鎖線で示す）を設けることができる。カットテープ４６２と、ミシン目４６４の構成と作用は、本発明の第１の実施の形態と同様であるので、前述した本発明の第１の実施形態についての説明をここに準用する。
【００６２】
（４）第４の実施の形態
次に、本発明の第４の実施の形態を説明する。以下の説明は、本発明の第４の実施形態が本発明の第３の実施形態と異なる点を主に述べる。したがって、以下に記載がない個所は、前述した本発明の第３の実施形態についての説明をここに準用する。本発明の第４の実施の形態の特徴は、４個の物品を仕切板付き箱の内部で互いに接触しないように収納することができる点にある。
【００６３】
図１５を参照すると、箱５００は、第１仕切板５４２と、第２仕切板５４４と、第３仕切板５４６と、第４仕切板５４８とを有する。第１仕切板５４２は第１仕切板折り曲げ部４４２ａと平行な第１仕切板縁部５４２ｂを含む。第２仕切板５４４は第２仕切板折り曲げ部４４４ａと平行な第２仕切板縁部５４４ｂを含む。第３仕切板５４６は第３仕切板折り曲げ部４４６ａと平行な第３仕切板縁部５４６ｂを含む。第４仕切板５４８は第４仕切板折り曲げ部４４８ａと平行な第４仕切板縁部５４８ｂを含む。
第２仕切板折り曲げ部４４４ａに対して直角に設けられた第１長孔５５４が、第２蓋板４３４と第２仕切板５４４に設けられる。第１長孔５５４の第２蓋板折り曲げ部４３４ａに近い方の端部と第２蓋板折り曲げ部４３４ａとの間には第１蓋連結部４３４ｃが設けられる。
第４仕切板折り曲げ部４４８ａに対して直角に設けられた第２長孔５５８が、第４蓋板４３８と第４仕切板５４８に設けられる。第２長孔５５８の第４蓋板折り曲げ部４３８ａに近い方の端部と第４蓋板折り曲げ部４３８ａとの間には第２蓋連結部４３８ｃが設けられる。
【００６４】
第１長孔５５４の第２仕切板縁部５４４ｂに近い方の端部と第２仕切板縁部５４４ｂとの間には第１縁連結部５４４ｃが設けられる。
第２長孔５５８の第４仕切板縁部５４８ｂに近い方の端部と第４仕切板縁部５４８ｂとの間には第２縁連結部５４８ｃが設けられる。
第１蓋板４３２を閉じたときに、第１仕切板５４２が第１縁連結部５４４ｃおよび第２縁連結部５４８ｃに干渉しないようにするための第１縁逃げ部５６２が第１仕切板５４２に設けられる。第１縁逃げ部５６２の形状は、第１縁連結部５４４ｃおよび第２縁連結部５４８ｃの形状に対応するように決定される。
第３蓋板４３６を閉じたときに、第３仕切板５４６が第１縁連結部５４４ｃおよび第２縁連結部５４８ｃに干渉しないようにするための第２縁逃げ部５７２が第３仕切板５４６に設けられる。第３縁逃げ部５７２の形状は、第１縁連結部５４４ｃおよび第２縁連結部５４８ｃの形状に対応するように決定される。
【００６５】
箱５００は、本発明の第１の実施の形態と同様に、側カット部を含むように構成される。図１５を参照すると、箱５００には、カットテープ４１２（二点鎖線で示す）と、ミシン目４１４（一点鎖線で示す）を設けることができる。カットテープ４１２と、ミシン目４１４の構成と作用は、本発明の第１の実施の形態と同様であるので、前述した本発明の第１の実施形態についての説明をここに準用する。
【００６６】
（５）他の変形形態
次に、本発明の他の変形形態を説明する。
（５・１）第１の変形形態
ここで、本発明の第１の変形形態を説明する。以下の説明は、本発明の第１の変形形態が本発明の第１の実施形態と異なる点を主に述べる。したがって、以下に記載がない個所は、前述した本発明の第１の実施形態についての説明をここに準用する。
【００６７】
図２０を参照すると、箱１００において、第１スリット１５４を設ける代わりに、第２仕切板折り曲げ部１４４ａに対して直角に設けられた第１切れ目１８４が、第２蓋板１３４と第２仕切板１４４に設けられる。第２仕切板１４４は第１切れ目１８４により２つの部分に分離されるように構成される。
第１切れ目１８４の端部と第２蓋板折り曲げ部１３４ａとの間には第１蓋連結部１３４ｃが設けられる。第１蓋連結部１３４ｃの幅ＷＢ１は、第２蓋板１３４の幅ＷＦ１の１／１０〜５／１０であるのが好ましい。
第１蓋連結部１３４ｃを設けることにより、第１切れ目１８４の端部は第２蓋板折り曲げ部１３４ａに接しないので、第２蓋板１３４を折り曲げるときに第１切れ目１８４の両側にある第２蓋板１３４を容易に同じ角度に曲げることができる。
【００６８】
また、第２スリット１５８を設ける代わりに、第４仕切板折り曲げ部１４８ａに対して直角に設けられた第２切れ目１８８が、第４蓋板１３８と第４仕切板１４８に設けられる。第４仕切板１４８は第２切れ目１８８により２つの部分に分離されるように構成される。
第２切れ目１８８の端部と第４蓋板折り曲げ部１３８ａとの間には第２蓋連結部１３８ｃが設けられる。第２蓋連結部１３８ｃの幅ＷＢ２は、第４蓋板１３８の幅ＷＦ２の１／１０〜５／１０であるのが好ましい。
第２蓋連結部１３８ｃを設けることにより、第２切れ目１８８の端部は第４蓋板折り曲げ部１３８ａに接しないので、第４蓋板１３８を折り曲げるときに第２切れ目１８８の両側にある第４蓋板１３８を容易に同じ角度に曲げることができる。
【００６９】
第１切れ目１８４及び第２切れ目１８８は、切断の幅が実質的にゼロになるように、せん断加工により形成してもよいし、或いは、カッターにより切り込み加工してもよい。或いは、第１切れ目１８４及び第２切れ目１８８は、幅が２ＴＨ（ＴＨ：材料の厚さ）未満になるように、孔抜き加工により形成してもよいし、或いは、カッターによりカット部を形成してもよい。
すなわち、本明細書において、「切れ目」とは、切断の幅が実質的にゼロであるような切り込み部分、及び、幅が２ＴＨ未満であるようなカット部又は長孔を包含する概念である。換言すれば、本明細書において、「切れ目」は、材料がその部分で切り離されているような、いわゆる「非連続な部分」を意味している。
なお、このような「切れ目」を明瞭に示すために、図２０〜図２３において、「切れ目」を太い実線により強調して図示している。
【００７０】
第１切れ目１８４の幅及び第２切れ目１８８の幅は、２ＴＨ未満であるのが好ましく、ＴＨ以下であるのが更に好ましく、０．５ＴＨ以下であるのが更に一層好ましい。第１切れ目１８４の幅及び第２切れ目１８８の幅をこのような寸法に形成することにより、締め代をもって仕切板同士を保持することができるので、箱１００の蓋部１３０を閉じたとき、蓋部１３０が不用意に開くおそれを減らすことができる。
第１切れ目１８４の幅と第２切れ目１８８の幅は、同じであるのが好ましいが、異なっていてもよい。
【００７１】
第１仕切板１４２は第１仕切板縁部１４２ｂを含み、第２仕切板１４４は第２仕切板縁部１４４ｂを含み、第３仕切板１４６は第３仕切板縁部１４６ｂをみ、第４仕切板１４８は第４仕切板縁部１４８ｂを含む。
第２仕切板１４４の第１切れ目１８４は、第２仕切板縁部１４４ｂと直角に交差するように形成される。第４仕切板１４８の第２切れ目１８８は、第４仕切板縁部１４８ｂと直角に交差するように形成される。
【００７２】
第３切れ目１８４ａが、第１切れ目１８４に対して直角に、第２仕切板折り曲げ部１４４ａのところに設けられる。第３切れ目１８４ａの長さ方向の中心は、第１切れ目１８４にあるのが好ましい。
第４切れ目１８４ｂが、第１切れ目１８４に対して直角に、第２蓋板折り曲げ部１３４ａのところに設けられる。第４切れ目１８４ｂの長さ方向の中心は、第１切れ目１８４にあるのが好ましい。
【００７３】
第５切れ目１８８ａが、第２切れ目１８８に対して直角に、第４仕切板折り曲げ部１４８ａのところに設けられる。第５切れ目１８８ａの長さ方向の中心は、第２切れ目１８８にあるのが好ましい。
第６切れ目１８８ｂが、第２切れ目１８８に対して直角に、第４蓋板折り曲げ部１３８ａのところに設けられる。第６切れ目１８８ｂの長さ方向の中心は、第２切れ目１８８にあるのが好ましい。
【００７４】
第３切れ目１８４ａの長さＷＳ１、第４切れ目１８４ｂの長さＷＳ１、第５切れ目１８８ａの長さＷＳ２、第６切れ目１８８ｂの長さＷＳ２は、それぞれ、２ＴＨから２０ＴＨであるのが好ましく、２ＴＨから３ＴＨであるのが一層好ましい。
第３切れ目１８４ａ、第４切れ目１８４ｂ、第５切れ目１８８ａ、第６切れ目１８８ｂのそれぞれの形状及び加工方法は、それぞれの長さを除いて、第１切れ目１８４及び第２切れ目１８８の形状及び加工方法と同様である。
【００７５】
第３切れ目１８４ａ、第４切れ目１８４ｂ、第５切れ目１８８ａ、第６切れ目１８８ｂを設けることにより、第１仕切板１４２と第３仕切板１４６が、第２仕切板１４４の第１切れ目１８４及び第４仕切板１４８の第２切れ目１８８に、締め代をもって嵌まり込むとき、第１切れ目１８４及び第２切れ目１８８の付近の材料が適当に変形して、第１仕切板１４２と第３仕切板１４６とを、第１切れ目１８４及び第２切れ目１８８にたやすく嵌め込むことができる。
【００７６】
第３切れ目１８４ａ、第４切れ目１８４ｂ、第５切れ目１８８ａ、第６切れ目１８８ｂのそれぞれの形状は、同じであるのが好ましいが、異なっていてもよい。
第３切れ目１８４ａ及び第４切れ目１８４ｂの両方を設けるのが好ましいが、第３切れ目１８４ａ及び第４切れ目１８４ｂのうちの一方だけを設けてもよい。
第５切れ目１８８ａ及び第６切れ目１８８ｂの両方を設けるのが好ましいが、第５切れ目１８８ａ及び第６切れ目１８８ｂのうちの一方だけを設けてもよい。
【００７７】
（５・２）第２の変形形態
次に、本発明の第２の変形形態を説明する。以下の説明は、本発明の第２の変形形態が本発明の第２の実施形態と異なる点を主に述べる。したがって、以下に記載がない個所は、前述した本発明の第２の実施形態についての説明をここに準用する。図２１を参照すると、箱３００において、第１長孔３５４を設ける代わりに、第２仕切板折り曲げ部１４４ａに対して直角に設けられた第１切れ目３８４が、第２蓋板１３４と第２仕切板３４４に設けられる。また、第２長孔３５８を設ける代わりに、第４仕切板折り曲げ部１４８ａに対して直角に設けられた第２切れ目３８８が、第４蓋板１３８と第４仕切板３４８に設けられる。
【００７８】
第２仕切板折り曲げ部１４４ａに対して直角に設けられた第１切れ目３８４が、第２蓋板３３４と第２仕切板３４４に設けられる。
第１切れ目３８４の第２蓋板折り曲げ部１３４ａに近い方の端部と第２蓋板折り曲げ部１３４ａとの間には第１蓋連結部１３４ｃが設けられる。
第４仕切板折り曲げ部１４８ａに対して直角に設けられた第２切れ目３８８が、第４蓋板１３８と第４仕切板３４８に設けられる。
第２切れ目３８８の第４蓋板折り曲げ部１３８ａに近い方の端部と第４蓋板折り曲げ部１３８ａとの間には第２蓋連結部１３８ｃが設けられる。
【００７９】
第１切れ目３８４の第２仕切板縁部３４４ｂに近い方の端部と第２仕切板縁部３４４ｂとの間には第１縁連結部３４４ｃが設けられる。第１縁連結部３４４ｃの幅ＷＧ１は、第２仕切板３４４の幅ＷＫ１の１／１０〜５／１０であるのが好ましい。
第２切れ目３８８の第４仕切板縁部３４８ｂに近い方の端部と第４仕切板縁部３４８ｂとの間には第２縁連結部３４８ｃが設けられる。第２縁連結部３４８ｃの幅ＷＧ２は、第４仕切板３４８の幅ＷＫ２の１／１０〜５／１０であるのが好ましい。
【００８０】
第１切れ目３８４及び第２切れ目３８８の寸法形状及び加工方法は、前述した第１切れ目１８４及び第２切れ目１８８の寸法形状及び加工方法と同様である。
第１切れ目３８４の幅と第２切れ目３８８の幅は、同じであるのが好ましいが、異なっていてもよい。
第３切れ目３８４ａが、第１切れ目３８４に対して直角に、第２仕切板折り曲げ部１４４ａのところに設けられる。第３切れ目３８４ａの長さ方向の中心は、第１切れ目３８４にあるのが好ましい。
【００８１】
第４切れ目３８４ｂが、第１切れ目３８４に対して直角に、第２蓋板折り曲げ部１３４ａのところに設けられる。第４切れ目３８４ｂの長さ方向の中心は、第１切れ目３８４にあるのが好ましい。
第５切れ目３８４ｃが、第１切れ目３８４に対して直角に、第１縁連結部３４４ｃの第２蓋板１３４に近い方に設けられる。第５切れ目３８４ｃの長さ方向の中心は、第１切れ目３８４にあるのが好ましい。
第６切れ目３８８ａが、第２切れ目３８８に対して直角に、第４仕切板折り曲げ部１４８ａのところに設けられる。第６切れ目３８８ａの長さ方向の中心は、第２切れ目３８８にあるのが好ましい。
【００８２】
第７切れ目３８８ｂが、第２切れ目３８８に対して直角に、第４蓋板折り曲げ部１３８ａのところに設けられる。第７切れ目３８８ｂの長さ方向の中心は、第２切れ目１８８にあるのが好ましい。
第８切れ目３８８ｃが、第２切れ目３８８に対して直角に、第２縁連結部３４８ｃの第４蓋板１３８に近い方に設けられる。第８切れ目３８８ｃの長さ方向の中心は、第２切れ目３８８にあるのが好ましい。
【００８３】
第３切れ目３８４ａの長さＷＳ１、第４切れ目３８４ｂの長さＷＳ１、第５切れ目３８４ｃの長さＷＳ１、第６切れ目３８８ａの長さＷＳ２、第７切れ目３８８ｂの長さＷＳ２、第８切れ目３８８ｃの長さＷＳ２、は、それぞれ、２ＴＨから２０ＴＨであるのが好ましく、２ＴＨから３ＴＨであるのが一層好ましい。
第３切れ目３８４ａ、第４切れ目３８４ｂ、第５切れ目３８４ｃ、第６切れ目３８８ａ、第７切れ目３８８ｂ、第８切れ目３８８ｃのそれぞれの形状及び加工方法は、それぞれの長さを除いて、前述した第１切れ目３８４及び第２切れ目３８８の形状及び加工方法と同様である。
【００８４】
第３切れ目３８４ａ、第４切れ目３８４ｂ、第５切れ目３８４ｃ、第６切れ目３８８ａ、第７切れ目３８８ｂ、第８切れ目３８８ｃのそれぞれの形状は、同じであるのが好ましいが、異なっていてもよい。
第３切れ目３８４ａ、第４切れ目３８４ｂ、第５切れ目３８４ｃをすべて設けるのが好ましいが、第３切れ目３８４ａ、第４切れ目３８４ｂ、第５切れ目３８４ｃのうちの少なくとも１つを設けてもよい。
第６切れ目３８８ａ、第７切れ目３８８ｂ、第８切れ目３８８ｃをすべて設けるのが好ましいが、第６切れ目３８８ａ、第７切れ目３８８ｂ、第８切れ目３８８ｃのうちの少なくとも１つを設けてもよい。
【００８５】
第３切れ目３８４ａ、第４切れ目３８４ｂ、第５切れ目３８４ｃ、第６切れ目３８８ａ、第７切れ目３８８ｂ、第８切れ目３８８ｃを設けることにより、第１仕切板３４２と第３仕切板３４６が、第２仕切板３４４の第１切れ目３８４及び第４仕切板３４８の第２切れ目３８８に、締め代をもって嵌まり込むとき、第１切れ目３８４及び第２切れ目３８８の付近の材料が適当に変形して、第１仕切板３４２と第３仕切板３４６とを、第１切れ目３８４及び第２切れ目３８８にたやすく嵌め込むことができる。
【００８６】
箱３００は、本発明の第１の実施の形態と同様に、側カット部を含むように構成される。図２１を参照すると、箱３００には、カットテープ２１２（二点鎖線で示す）と、ミシン目２１４（一点鎖線で示す）を設けることができる。
【００８７】
（５・３）第３の変形形態
次に、本発明の第３の変形形態を説明する。以下の説明は、本発明の第３の変形形態が本発明の第３の実施形態と異なる点を主に述べる。したがって、以下に記載がない個所は、前述した本発明の第３の実施形態についての説明をここに準用する。図２２を参照すると、箱４００において、第１スリット４５４を設ける代わりに、第２仕切板折り曲げ部１４４ａに対して直角に設けられた第１切れ目４８４が、第２蓋板４３４と第２仕切板４４４に設けられる。また、第２長孔４５８を設ける代わりに、第４仕切板折り曲げ部１４８ａに対して直角に設けられた第２切れ目４８８が、第４蓋板４３８と第４仕切板４４８に設けられる。
【００８８】
更に、第３切れ目４８４ａ、第４切れ目４８４ｂ、第５切れ目４８８ａ、第６切れ目４８８ｂが、箱４００に設けられる。第３切れ目４８４ａ、第４切れ目４８４ｂ、第５切れ目４８８ａ、第６切れ目４８８ｂのそれぞれの形状及び加工方法は、前述した第１の変形形態の第３切れ目１８４ａ、第４切れ目１８４ｂ、第５切れ目１８８ａ、第６切れ目１８８ｂの形状及び加工方法とそれぞれ同様である。
この構成により、第１仕切板４４２と第３仕切板４４６が、第２仕切板４４４の第１切れ目４８４及び第４仕切板４４８の第２切れ目４８８に、締め代をもって嵌まり込むとき、第１切れ目４８４及び第２切れ目４８８の付近の材料が適当に変形して、第１仕切板４４２と第３仕切板４４６とを、第１切れ目４８４及び第２切れ目４８８にたやすく嵌め込むことができる。
【００８９】
（５・４）第４の変形形態
次に、本発明の第４の変形形態を説明する。以下の説明は、本発明の第４の変形形態が本発明の第４の実施形態と異なる点を主に述べる。したがって、以下に記載がない個所は、前述した本発明の第４の実施形態についての説明をここに準用する。図２３を参照すると、箱５００において、第１長孔５５４を設ける代わりに、第２仕切板折り曲げ部５４４ａに対して直角に設けられた第１切れ目５８４が、第２蓋板４３４と第２仕切板５４４に設けられる。また、第２長孔５５８を設ける代わりに、第４仕切板折り曲げ部５４８ａに対して直角に設けられた第２切れ目５８８が、第４蓋板４３８と第４仕切板５４８に設けられる。
【００９０】
更に、第３切れ目５８４ａ、第４切れ目５８４ｂ、第５切れ目５８４ｃ、第６切れ目５８８ａ、第７切れ目５８８ｂ、第８切れ目５８８ｃが、箱５００に設けられる。第３切れ目５８４ａ、第４切れ目５８４ｂ、第５切れ目５８４ｃ、第６切れ目５８８ａ、第７切れ目５８８ｂ、第８切れ目５８８ｃのそれぞれの形状及び加工方法は、前述した第２の変形形態の第３切れ目３８４ａ、第４切れ目３８４ｂ、第５切れ目３８４ｃ、第６切れ目３８８ａ、第７切れ目３８８ｂ、第８切れ目３８８ｃの形状及び加工方法とそれぞれ同様である。
この構成により、第１仕切板５４２と第３仕切板５４６が、第２仕切板５４４の第１切れ目５８４及び第４仕切板５４８の第２切れ目５８８に、締め代をもって嵌まり込むとき、第１切れ目５８４及び第２切れ目５８８の付近の材料が適当に変形して、第１仕切板５４２と第３仕切板５４６とを、第１切れ目５８４及び第２切れ目５８８にたやすく嵌め込むことができる。
【００９１】
【発明の効果】
本発明の物品入り仕切板付き箱においては、仕切板付き箱の蓋部と仕切板を同時に除去することができるように構成されているので、仕切板付き箱の中に収容された複数の物品を整列させたままで展示することができるし、仕切板付き箱の中に収容された物品を簡単に取り出すこともできる。
本発明に適用される仕切板付き箱は、仕切板付き箱の上部からの圧縮荷重によって仕切板付き箱が圧縮変形するおそれが少なく、したがって、仕切板付き箱内に収容された物品が損傷するおそれも少ない。
さらに、本発明に適用される仕切板付き箱は、箱の蓋部を閉じたときに、仕切板の一部がスリット又は切れ目に嵌まるので、蓋部が持ち上がるおそれが少ない。
さらに、本発明に適用される仕切板付き箱は、複数の物品、例えば、４個あるいは６個の物品を２列に並べて、互いに接触しないように収納することができる。
【図面の簡単な説明】
【図１】本発明の第１の実施形態において、箱を組立て蓋部を閉める前の外形形状を示す斜視図である。
【図２】本発明の第１の実施形態において、箱を組立て蓋部を閉める前の外形形状を示す上平面図である。
【図３】本発明の第１の実施形態において、箱を組立て蓋部を閉める前の外形形状を示す正面図である。
【図４】本発明の第１の実施形態において、箱を組立てる前の原料の形状を示す展開平面図である。
【図５】本発明の第１の実施形態において、箱を組立て６個の物品を収容し、２つの蓋板と２つの仕切板を所定位置に配置した状態を示す斜視図である。
【図６】本発明の第１の実施形態において、箱を組立て６個の物品を収容し、４つの蓋板と４つの仕切板を所定位置に配置した状態を示す斜視図である。
【図７】本発明の第１の実施形態において、箱を組立て６個の物品を収容し、４つの蓋板と４つの仕切板を所定位置に配置した状態を示す長手方向の縦断面図である。
【図８】本発明の第１の実施形態において、箱を組立て６個の物品を収容し、４つの蓋板と４つの仕切板を所定位置に配置した状態を示す長手方向と直角の方向の縦断面図である。
【図９】本発明の第１の実施形態において、箱に６個の物品を収容した後、蓋部を取り除いた状態を示す長手方向の縦断面図である。
【図１０】本発明の第１の実施形態において、箱に６個の物品を収容した後、蓋部を取り除いた状態を示す長手方向と直角の方向の縦断面図である。
【図１１】本発明の第２の実施形態において、箱を組立てる前の原料の形状を示す展開平面図である。
【図１２】本発明の第３の実施形態において、箱を組立て蓋部を閉める前の外形形状を示す斜視図である。
【図１３】本発明の第３の実施形態において、箱を組立てる前の原料の形状を示す展開平面図である。
【図１４】本発明の第３の実施形態において、箱を組立て４個の物品を収容し、２つの蓋板と２つの仕切板を所定位置に配置した状態を示す縦断面図である。
【図１５】本発明の第４の実施形態において、箱を組立てる前の原料の形状を示す展開平面図である。
【図１６】第１の従来例の箱を組立て蓋部を閉める前の外形形状を示す斜視図である。
【図１７】第１の従来例の箱を組立てる前の原料の形状を示す展開平面図である。
【図１８】第２の従来例の箱を組立て蓋部を閉める前の外形形状を示す斜視図である。
【図１９】第２の従来例の箱を組立てる前の原料の形状を示す展開平面図である。
【図２０】本発明の第１の変形形態において、箱を組立てる前の原料の形状を示す展開平面図である。
【図２１】本発明の第２の変形形態において、箱を組立てる前の原料の形状を示す展開平面図である。
【図２２】本発明の第３の変形形態において、箱を組立てる前の原料の形状を示す展開平面図である。
【図２３】本発明の第４の変形形態において、箱を組立てる前の原料の形状を示す展開平面図である。
【符号の説明】
１００    仕切板付き箱
１１０    側部
１１２    第１側板
１１４    第２側板
１１６    第３側板
１１８    第４側板
１２０    底部
１２２    第１底板
１２４    第２底板
１２６    第３底板
１２８    第４底板
１３０    蓋部
１３２    第１蓋板
１３４    第２蓋板
１３６    第３蓋板
１３８    第４蓋板
１４２    第１仕切板
１４４    第２仕切板
１４６    第３仕切板
１４８    第４仕切板
１５４    第１スリット
１５８    第２スリット
１７０    物品
１８４    第１切れ目
１８８    第２切れ目
２１２    カットテープ（側カット部）
２１４    ミシン目（側カット部）
３００    仕切板付き箱
３８４    第１切れ目
３８８    第２切れ目
３７０    物品
３７０ｆ  フランジ
４００    仕切板付き箱
４８４    第１切れ目
４８８    第２切れ目
５００    仕切板付き箱
５８４    第１切れ目
５８８    第２切れ目
【図１】
0003954825.tif 000002
【図２】
0003954825.tif 000003
【図３】
0003954825.tif 000004
【図４】
0003954825.tif 000005
【図５】
0003954825.tif 000006
【図６】
0003954825.tif 000007
【図７】
0003954825.tif 000008
【図８】
0003954825.tif 000009
【図９】
0003954825.tif 000010
【図１０】
0003954825.tif 000011
【図１１】
0003954825.tif 000012
【図１２】
0003954825.tif 000013
【図１３】
0003954825.tif 000014
【図１４】
0003954825.tif 000015
【図１５】
0003954825.tif 000016
【図１６】
0003954825.tif 000017
【図１７】
0003954825.tif 000018
【図１８】
0003954825.tif 000019
【図１９】
0003954825.tif 000020
【図２０】
0003954825.tif 000021
【図２１】
0003954825.tif 000022
【図２２】
0003954825.tif 000023
【図２３】
0003954825.tif 000024